(57)【特許請求の範囲】
【請求項１】
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のトリガが、前記ＵＥから前記データ送信に関連するいずれの肯定応答／否定応答（ＡＣＫ／ＮＡＣＫ）を受信するよりも前に送信される、
前記第１のタグのビットが前記ＵＥのタグのビットに対応しないとき、前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
を備える、ワイヤレス通信の方法。
【請求項２】
前記第１のトリガが送信されるとき、前記カウンタをリセットすること
をさらに備える、請求項１に記載の方法。
【請求項３】
前記ＵＥからの前記第１のＧＡＣＫについて後続のサブフレームを監視すること
をさらに備える、請求項２に記載の方法。
【請求項４】
前記受信された第１のＧＡＣＫに対して誤り検出テストを実行することと
をさらに備える、請求項３に記載の方法。
【請求項５】
前記受信された第１のＧＡＣＫが前記誤り検出テストにパスしたとき、前記ＵＥに肯定応答（ＡＣＫ）を送信することと、
前記受信された第１のＧＡＣＫが前記誤り検出テストにパスしなかったとき、前記ＵＥに否定応答（ＮＡＣＫ）を送信することと
をさらに備える、請求項４に記載の方法。
【請求項６】
前記受信された第１のＧＡＣＫが前記誤り検出テストにパスしたとき、前記方法が、  後続のトリガ中に含まれるべき第２のタグを生成すること、ここにおいて、前記第２のタグのビットは、前記受信された第１のＧＡＣＫが前記誤り検出テストにパスしたことを示す、
をさらに備える、請求項４に記載の方法。
【請求項７】
前記ＵＥに、第２の複数のサブフレーム中でデータ送信を送ることと、
前記第２の複数のサブフレーム中で前記ＵＥに送られた各データ送信について前記カウンタを増分することと、
前記カウンタが前記しきい値に等しいかまたはそれよりも大きいとき、前記ＵＥに、第２のＧＡＣＫのための第２のトリガを送信することと、ここにおいて、前記第２のトリガが前記第２のタグを備え、前記第２のＧＡＣＫが、前記第２の複数のサブフレーム中で前記ＵＥによって受信された前記データ送信に応答する、
をさらに備える、請求項６に記載の方法。
【請求項８】
前記受信された第１のＧＡＣＫが前記誤り検出テストに失敗したとき、前記方法は、  前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、請求項４に記載の方法。
【請求項９】
前記受信された第１のＧＡＣＫが前記誤り検出テストに失敗したとき、
前記ＵＥにＮＡＣＫを送信することと、
前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
第２のＧＡＣＫのための第２のトリガを送ることを控えることと、
をさらに備える、請求項４に記載の方法。
【請求項１０】
前記ＵＥからの前記第１のＧＡＣＫが受信されないとき、前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、請求項４に記載の方法。
【請求項１１】
前記第１のＧＡＣＫが受信されないとき、
前記ＵＥにＮＡＣＫを送信することと、
前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
第２のＧＡＣＫのための第２のトリガを送ることを控えることと、
をさらに備える、請求項３に記載の方法。
【請求項１２】
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグのビットがユーザ機器（ＵＥ）タグのビットに対応しないとき、前記基地局に、ＡＣＫ／ＮＡＣＫの前記第１のグループを少なくとも備える第１のＧＡＣＫを送信することと、ここにおいて、前記第１のトリガが、データ送信の前記第１のグループに関連するいずれの肯定応答／否定応答（ＡＣＫ／ＮＡＣＫ）を送信するよりも前に受信される、
を備える、ワイヤレス通信の方法。
【請求項１３】
前記第１のＧＡＣＫが前記基地局に送信されるとき、前記方法が、
前記第１のタグに対応するように前記ＵＥタグを修正すること
をさらに備える、請求項１２に記載の方法。
【請求項１４】
前記基地局から、第２のＧＡＣＫのための第２のトリガを受信することと、ここにおいて、前記第２のトリガが第２のタグを備え、ここにおいて、前記第２のタグのビットは、前記送信された第１のＧＡＣＫが誤り検出テストにパスしたことを示す、
前記第２のタグが前記ＵＥタグに一致しないとき、前記基地局に、ＡＣＫ／ＮＡＣＫの第２のグループを含む第２のＧＡＣＫを送信することと
をさらに備える、請求項１３に記載の方法。
【請求項１５】
前記第２のトリガが受信されたとき、ＡＣＫ／ＮＡＣＫの前記第１のグループをクリアすること
をさらに備える、請求項１４に記載の方法。
【請求項１６】
前記第１のＧＡＣＫが巡回冗長検査を含む、請求項１２に記載の方法。
【請求項１７】
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグのビットがユーザ機器（ＵＥ）タグのビットに対応しないとき、前記基地局に、ＡＣＫ／ＮＡＣＫの前記第１のグループを少なくとも備える第１のＧＡＣＫを送信することと、
前記第１のタグのビットが前記ＵＥタグのビットに等しいとき、前記基地局に、前記第１のＧＡＣＫを送信せず、前記第１のタグを含む第２のトリガの受信後の次のＧＡＣＫ中で、ＡＣＫ／ＮＡＣＫの前記第１のグループとＡＣＫ／ＮＡＣＫの第２のグループとを送信することと
ここにおいて、ＡＣＫ／ＮＡＣＫの前記第２のグループが、前記第１の複数のダウンリンクサブフレームの後続の第２の複数のダウンリンクサブフレーム中で受信されたデータ送信の第２のグループに対応し、前記第１のトリガが、データ送信の前記第１のグループに関連するいずれの肯定応答／否定応答（ＡＣＫ／ＮＡＣＫ）を送信するよりも前に受信される、
を備える、ワイヤレス通信の方法。
【請求項１８】
ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、ＡＣＫ／ＮＡＣＫの前記第１のグループのみが前記第１のＧＡＣＫ中で送信される、請求項１７に記載の方法。
【請求項１９】
ユーザ機器（ＵＥ）に、第１の複数のダウンリンクサブフレームに関連するデータ送信を送るための手段と、
前記ＵＥに送られた前記第１の複数のダウンリンクサブフレームに関連する各データ送信についてカウンタを増分するための手段と、
前記カウンタがしきい値よりも大きいかまたはそれに等しいとき、前記ＵＥに、第１のグループ肯定応答／否定応答（ＧＡＣＫ）のための第１のトリガを送信するための手段と、ここにおいて、前記第１のトリガが第１のタグを備え、前記第１のトリガが、前記ＵＥから前記データ送信に関連するいずれの肯定応答／否定応答（ＡＣＫ／ＮＡＣＫ）を受信するよりも前に送信される、
前記第１のタグのビットが前記ＵＥのタグのビットに対応しないとき、前記ＵＥから前記第１のＧＡＣＫを受信するための手段と、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
を備える、ワイヤレス通信のための装置。
【請求項２０】
前記第１のトリガが送信されるとき、前記カウンタをリセットするための手段
をさらに備える、請求項１９に記載の装置。
【請求項２１】
前記ＵＥからの前記第１のＧＡＣＫについて後続のサブフレームを監視するための手段をさらに備える、請求項２０に記載の装置。
【請求項２２】
前記ＵＥから前記第１のＧＡＣＫを受信するための手段と、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行するための手段と
をさらに備える、請求項２１に記載の装置。
【請求項２３】
前記受信された第１のＧＡＣＫが前記誤り検出テストにパスしたとき、前記ＵＥに肯定応答（ＡＣＫ）を送信するための手段と、
前記受信された第１のＧＡＣＫが前記誤り検出テストにパスしなかったとき、前記ＵＥに否定応答（ＮＡＣＫ）を送信するための手段と
をさらに備える、請求項２２に記載の装置。
【請求項２４】
前記受信された第１のＧＡＣＫが前記誤り検出テストにパスしたとき、
後続のトリガ中に含まれるべき第２のタグを生成するための手段、ここにおいて、前記第２のタグのビットは、前記受信された第１のＧＡＣＫが前記誤り検出テストにパスしたことを示す、
をさらに備える、請求項２２に記載の装置。
【請求項２５】
前記ＵＥに、第２の複数のサブフレーム中でデータ送信を送るための手段と、
前記第２の複数のサブフレーム中で前記ＵＥに送られた各データ送信について前記カウンタを増分するための手段と、
前記カウンタが前記しきい値に等しいかまたはそれよりも大きいとき、前記ＵＥに、第２のＧＡＣＫのための第２のトリガを送信するための手段と、ここにおいて、前記第２のトリガが前記第２のタグを備え、前記第２のＧＡＣＫが、前記第２の複数のサブフレーム中で前記ＵＥによって受信された前記データ送信に応答する、
をさらに備える、請求項２４に記載の装置。
【請求項２６】
前記受信された第１のＧＡＣＫが前記誤り検出テストに失敗したとき、
前記ＵＥに、第２のＧＡＣＫのための第２のトリガを送信するための手段と、ここにおいて、前記第２のトリガが前記第１のタグを備える、
前記ＵＥから前記第２のＧＡＣＫを受信するための手段と、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、請求項２２に記載の装置。
【請求項２７】
前記受信された第１のＧＡＣＫが前記誤り検出テストに失敗したとき、
前記ＵＥにＮＡＣＫを送信するための手段と、
前記ＵＥに、第２のＧＡＣＫのための第２のトリガを送信するための手段と、ここにおいて、前記第２のトリガが前記第１のタグを備える、
前記ＵＥから前記第２のＧＡＣＫを受信するための手段と、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
第２のＧＡＣＫのための第２のトリガを送ることを控えるための手段と、
をさらに備える、請求項２２に記載の装置。
【請求項２８】
前記ＵＥからの前記第１のＧＡＣＫが受信されないとき、前記ＵＥに、第２のＧＡＣＫのための第２のトリガを送信するための手段と、ここにおいて、前記第２のトリガが前記第１のタグを備える、
前記ＵＥから前記第２のＧＡＣＫを受信するための手段と、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、請求項２１に記載の装置。
【請求項２９】
前記第１のＧＡＣＫが受信されないとき、
前記ＵＥにＮＡＣＫを送信するための手段と、
前記ＵＥに、第２のＧＡＣＫのための第２のトリガを送信するための手段と、ここにおいて、前記第２のトリガが前記第１のタグを備える、
前記ＵＥから前記第２のＧＡＣＫを受信するための手段と、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
第２のＧＡＣＫのための第２のトリガを送ることを控えるための手段と、をさらに備える、請求項２１に記載の装置。
【請求項３０】
基地局から第１の複数のダウンリンクサブフレーム中で受信されたデータ送信の第１のグループに対応する肯定応答／否定応答（ＡＣＫ／ＮＡＣＫ）の第１のグループを記憶するための手段と、
前記基地局から、第１のグループ肯定応答／否定応答（ＧＡＣＫ）を送るための第１のトリガを受信するための手段と、ここにおいて、前記第１のトリガが第１のタグを備える、
前記第１のタグのビットがユーザ機器（ＵＥ）タグのビットに対応しないとき、前記基地局に、ＡＣＫ／ＮＡＣＫの前記第１のグループを少なくとも備える第１のＧＡＣＫを送信するための手段と、ここにおいて、前記第１のトリガが、データ送信の前記第１のグループに関連するいずれの肯定応答／否定応答（ＡＣＫ／ＮＡＣＫ）を送信するよりも前に受信される、
を備える、ワイヤレス通信のための装置。
【請求項３１】
前記第１のＧＡＣＫが前記基地局に送信されるとき、前記装置が、
前記第１のタグに対応するように前記ＵＥタグを修正するための手段
をさらに備える、請求項３０に記載の装置。
【請求項３２】
前記基地局から、第２のＧＡＣＫのための第２のトリガを受信するための手段と、ここにおいて、前記第２のトリガが第２のタグを備え、ここにおいて、前記第２のタグのビットは、前記送信された第１のＧＡＣＫが誤り検出テストにパスしたことを示す、
前記第２のタグが前記ＵＥタグに一致しないとき、前記基地局に、ＡＣＫ／ＮＡＣＫの第２のグループを含む第２のＧＡＣＫを送信するための手段と
をさらに備える、請求項３１に記載の装置。
【請求項３３】
前記第２のトリガが受信されたとき、ＡＣＫ／ＮＡＣＫの前記第１のグループをクリアするための手段
をさらに備える、請求項３２に記載の装置。
【請求項３４】
前記第１のＧＡＣＫが巡回冗長検査を含む、請求項３０に記載の装置。
【請求項３５】
基地局から第１の複数のダウンリンクサブフレーム中で受信されたデータ送信の第１のグループに対応する肯定応答／否定応答（ＡＣＫ／ＮＡＣＫ）の第１のグループを記憶するための手段と、
前記基地局から、第１のグループ肯定応答／否定応答（ＧＡＣＫ）を送るための第１のトリガを受信するための手段と、ここにおいて、前記第１のトリガが第１のタグを備える、
前記第１のタグのビットがユーザ機器（ＵＥ）タグのビットに対応しないとき、前記基地局に、ＡＣＫ／ＮＡＣＫの前記第１のグループを少なくとも備える第１のＧＡＣＫを送信するための手段と、
前記第１のタグのビットが前記ＵＥタグのビットに等しいとき、前記基地局に、前記第１のＧＡＣＫを送信せず、前記第１のタグを含む第２のトリガの受信後の次のＧＡＣＫ中で、ＡＣＫ／ＮＡＣＫの前記第１のグループとＡＣＫ／ＮＡＣＫの第２のグループとを送信するための手段と、
ここにおいて、ＡＣＫ／ＮＡＣＫの前記第２のグループが、前記第１の複数のダウンリンクサブフレームの後続の第２の複数のダウンリンクサブフレーム中で受信されたデータ送信の第２のグループに対応し、前記第１のトリガが、データ送信の前記第１のグループに関連するいずれの肯定応答／否定応答（ＡＣＫ／ＮＡＣＫ）を送信するよりも前に受信される、
を備える、ワイヤレス通信のための装置。
【請求項３６】
ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、前記装置が、ＡＣＫ／ＮＡＣＫの前記第１のグループのみを前記第１のＧＡＣＫ中で送信するための手段をさらに備える、請求項３５に記載の装置。
【請求項３７】
ワイヤレス通信のための装置であって、
メモリと、
前記メモリに結合された少なくとも１つのプロセッサと
を備え、前記少なくとも１つのプロセッサは、
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のトリガが、前記ＵＥから前記データ送信に関連するいずれの肯定応答／否定応答（ＡＣＫ／ＮＡＣＫ）を受信するよりも前に送信される、
前記第１のタグのビットが前記ＵＥのタグのビットに対応しないとき、前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
を行うように構成された、
装置。
【請求項３８】
前記少なくとも１つのプロセッサは、前記第１のトリガが送信されるとき、前記カウンタをリセットするようにさらに構成された、請求項３７に記載の装置。
【請求項３９】
前記少なくとも１つプロセッサが、前記ＵＥからの前記第１のＧＡＣＫについて後続のサブフレームを監視するようにさらに構成された、請求項３８に記載の装置。
【請求項４０】
前記少なくとも１つのプロセッサは、
前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行することと
を行うようにさらに構成された、請求項３９に記載の装置。
【請求項４１】
前記少なくとも１つのプロセッサは、
前記受信された第１のＧＡＣＫが前記誤り検出テストにパスしたとき、前記ＵＥに肯定応答（ＡＣＫ）を送信することと、
前記受信された第１のＧＡＣＫが前記誤り検出テストにパスしなかったとき、前記ＵＥに否定応答（ＮＡＣＫ）を送信することと
を行うようにさらに構成された、請求項４０に記載の装置。
【請求項４２】
前記少なくとも１つプロセッサは、前記受信された第１のＧＡＣＫが前記誤り検出テストにパスしたとき、後続のトリガ中に含まれるべき第２のタグを生成するように構成され、ここにおいて、前記第２のタグのビットは、前記受信された第１のＧＡＣＫが前記誤り検出テストにパスしたことを示す、請求項４０に記載の装置。
【請求項４３】
前記少なくとも１つのプロセッサは、
前記ＵＥに、第２の複数のサブフレーム中でデータ送信を送ることと、
前記第２の複数のサブフレーム中で前記ＵＥに送られた各データ送信について前記カウンタを増分することと、
前記カウンタが前記しきい値に等しいかまたはそれよりも大きいとき、前記ＵＥに、第２のＧＡＣＫのための第２のトリガを送信することと、ここにおいて、前記第２のトリガが前記第２のタグを備え、前記第２のＧＡＣＫが、前記第２の複数のサブフレーム中で前記ＵＥによって受信された前記データ送信に応答する、
を行うようにさらに構成された、請求項４２に記載の装置。
【請求項４４】
前記受信された第１のＧＡＣＫが前記誤り検出テストに失敗したとき、前記少なくとも１つのプロセッサは、
前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
を行うように構成された、請求項４０に記載の装置。
【請求項４５】
前記少なくとも１つのプロセッサは、
前記受信された第１のＧＡＣＫが前記誤り検出テストに失敗したとき、
前記ＵＥにＮＡＣＫを送信することと、
前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
第２のＧＡＣＫのための第２のトリガを送ることを控えることと、
を行うようにさらに構成された、請求項４０に記載の装置。
【請求項４６】
前記少なくとも１つのプロセッサは、
前記ＵＥからの前記第１のＧＡＣＫが受信されないとき、前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
を行うようにさらに構成された、請求項３９に記載の装置。
【請求項４７】
前記少なくとも１つのプロセッサは、
前記第１のＧＡＣＫが受信されないとき、
前記ＵＥにＮＡＣＫを送信することと、
前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
第２のＧＡＣＫのための第２のトリガを送ることを控えることと、
を行うようにさらに構成された、請求項３９に記載の装置。
【請求項４８】
ワイヤレス通信のための装置であって、
メモリと、
前記メモリに結合された少なくとも１つのプロセッサと
を備え、前記少なくとも１つのプロセッサは、
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、    前記第１のタグのビットがユーザ機器（ＵＥ）タグのビットに対応しないとき、前記基地局に、ＡＣＫ／ＮＡＣＫの前記第１のグループを少なくとも備える第１のＧＡＣＫを送信することと、ここにおいて、前記第１のトリガが、データ送信の前記第１のグループに関連するいずれの肯定応答／否定応答（ＡＣＫ／ＮＡＣＫ）を送信するよりも前に受信される、
を行うように構成された、
装置。
【請求項４９】
前記第１のＧＡＣＫが前記基地局に送信されたとき、前記少なくとも１つのプロセッサが、
前記第１のタグに対応するように前記ＵＥタグを修正する
ように構成された、請求項４８に記載の装置。
【請求項５０】
前記少なくとも１つのプロセッサは、
前記基地局から、第２のＧＡＣＫのための第２のトリガを受信することと、ここにおいて、前記第２のトリガが第２のタグを備え、ここにおいて、前記第２のタグのビットは、前記送信された第１のＧＡＣＫが誤り検出テストにパスしたことを示す、
前記第２のタグが前記ＵＥタグに一致しないとき、前記基地局に、ＡＣＫ／ＮＡＣＫの第２のグループを含む第２のＧＡＣＫを送信することと
を行うようにさらに構成された、請求項４９に記載の装置。
【請求項５１】
前記少なくとも１つのプロセッサは、
前記第２のトリガが受信されたとき、ＡＣＫ／ＮＡＣＫの前記第１のグループをクリアする
ようにさらに構成された、請求項５０に記載の装置。
【請求項５２】
前記第１のＧＡＣＫが巡回冗長検査を含む、請求項４８に記載の装置。
【請求項５３】
ワイヤレス通信のための装置であって、
メモリと、
前記メモリに結合された少なくとも１つのプロセッサと
を備え、前記少なくとも１つのプロセッサは、
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグのビットがユーザ機器（ＵＥ）タグのビットに対応しないとき、前記基地局に、ＡＣＫ／ＮＡＣＫの前記第１のグループを少なくとも備える第１のＧＡＣＫを送信することと、
前記第１のタグのビットが前記ＵＥタグのビットに等しいとき、前記基地局に、前記第１のＧＡＣＫを送信せず、前記第１のタグを含む第２のトリガの受信後の次のＧＡＣＫ中で、ＡＣＫ／ＮＡＣＫの前記第１のグループとＡＣＫ／ＮＡＣＫの第２のグループとを送信することと、
ここにおいて、ＡＣＫ／ＮＡＣＫの前記第２のグループが、前記第１の複数のダウンリンクサブフレームの後続の第２の複数のダウンリンクサブフレーム中で受信されたデータ送信の第２のグループに対応し、前記第１のトリガが、データ送信の前記第１のグループに関連するいずれの肯定応答／否定応答（ＡＣＫ／ＮＡＣＫ）を送信するよりも前に受信される、
を行うように構成された、
装置。
【請求項５４】
ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、前記少なくとも１つのプロセッサは、ＡＣＫ／ＮＡＣＫの前記第１のグループのみを前記第１のＧＡＣＫ中でである送信するようにさらに構成された、請求項５３に記載の装置。
【請求項５５】
ワイヤレス通信のためのコンピュータ実行可能コードを記憶するコンピュータ可読記憶媒体であって、
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のトリガが、前記ＵＥから前記データ送信に関連するいずれの肯定応答／否定応答（ＡＣＫ／ＮＡＣＫ）を受信するよりも前に送信される、
前記第１のタグのビットが前記ＵＥのタグのビットに対応しないとき、前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
を行うためのコードを備える、コンピュータ可読記憶媒体。
【請求項５６】
ワイヤレス通信のためのコンピュータ実行可能コードを記憶するコンピュータ可読記憶媒体であって、
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグのビットがユーザ機器（ＵＥ）タグのビットに対応しないとき、前記基地局に、ＡＣＫ／ＮＡＣＫの前記第１のグループを少なくとも備える第１のＧＡＣＫを送信することと、ここにおいて、前記第１のトリガが、データ送信の前記第１のグループに関連するいずれの肯定応答／否定応答（ＡＣＫ／ＮＡＣＫ）を送信するよりも前に受信される、
を行うためのコードを備える、コンピュータ可読記憶媒体。
【発明の詳細な説明】
【技術分野】
【０００１】
関連出願の相互参照
[0001]本出願は、その全体が参照により本明細書に明確に組み込まれる、２０１５年１月２７日に出願された「GROUP ACKNOWLEDGEMENT/NEGATIVE ACKNOWLEDGEMENT (GACK) AND TRIGGERING GACK /CHANNEL STATE INFORMATION (CSI)」と題する米国仮出願第６２／１０８，４８７号、および２０１６年１月２０日に出願された「GROUP ACKNOWLEDGEMENT/NEGATIVE ACKNOWLEDGEMENT AND TRIGGERING GACK /CHANNEL STATE INFORMATION」と題する米国特許出願第１５／００２，０７２号の利益を主張する。
【０００２】
[0002]本開示は、一般に通信システムに関し、より詳細には、肯定応答／否定応答処理と、肯定応答／否定応答またはチャネル状態情報（ＣＳＩ：channel state information）報告のトリガリングとに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、ダウンリンク上ではＯＦＤＭＡを使用し、アップリンク上ではＳＣ−ＦＤＭＡを使用し、多入力多出力（ＭＩＭＯ）アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増加し続けるにつれて、ＬＴＥ技術のさらなる改善が必要である。これらの改善はまた、他の多元接続技術と、これらの技術を採用する電気通信規格とに適用可能であり得る。
【０００５】
[0005]認可スペクトル（たとえば、ＬＴＥ−Ａ）、または無認可スペクトル（たとえば、認可支援アクセス（ＬＡＡ：licensed assisted access）、および／またはＭｕＬＴＥｆｉｒｅ）中のリッスンビフォアトーク（ＬＢＴ：listen-before-talk）フレームのいずれかを使用する高度通信では、従来の方法を使用してユーザ機器（ＵＥ）から基地局（ｅＮＢ）にハイブリッド自動再送要求（ＨＡＲＱ）フィードバックおよび／またはＣＳＩを送信することは、信頼できず、望ましくないペイロードサイズを有することがある。
【発明の概要】
【０００６】
[0006]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００７】
[0007]高度通信では、認可スペクトルまたは無認可スペクトルのいずれかを使用して、あらかじめ決定されたアップリンク（ＵＬ）サブフレーム中でＵＥからｅＮＢにダウンリンク（ＤＬ）ＨＡＲＱフィードバックが送信され得る。ＵＥは、周期報告または非周期報告のいずれか中でＣＳＩをｅＮＢに送り得る。しかしながら、このようにしてＨＡＲＱフィードバックおよび／またはＣＳＩを送信することは、クリアチャネルアセスメント（ＣＣＡ：clear channel assessment）がクリアしないか、またはＵＬサブフレームが利用可能でない場合、信頼できないことがある。その上、非周期ＣＳＩ報告（Ａ−ＣＳＩ：aperiodic CSI report）が大きいペイロードを含み得、したがって、大きいＡ−ＣＳＩ報告を送ることが、信頼できないことがある。
【０００８】
[0008]本開示では、ｅＮＢからのＤＬデータ送信のグループに関係するＣＳＩおよび／または複数の肯定応答／否定応答（ＡＣＫ／ＮＡＣＫ）が、ダウンリンク制御情報（ＤＣＩ：downlink control information）トリガがｅＮＢから受信されるまで、グループ肯定応答／否定応答（ＧＡＣＫ：group acknowledgement/negative acknowledgement）としてＵＥにおいてバッファされ得る。ＤＣＩトリガが受信されると、ＵＥは、ＣＳＩおよび／またはＧＡＣＫをｅＮＢに送信し得る。このようにして、ＨＡＲＱフィードバックおよび／またはＣＳＩが、ペイロードを低減しながら、確実に通信され得る。
【０００９】
[0009]本開示の一態様では、方法、コンピュータ可読媒体、および装置が提供される。本装置は基地局を含み得る。一態様では、本装置は、ＵＥに、第１の複数のダウンリンクサブフレームに関連するデータ送信を送る。別の態様では、本装置は、ＵＥに送られた第１の複数のダウンリンクサブフレームに関連する各データ送信についてカウンタを増分する。さらなる態様では、本装置は、カウンタがしきい値よりも大きいかまたはそれに等しいとき、ＵＥに、第１のＧＡＣＫのための第１のトリガを送信する。たとえば、第１のトリガは第１のタグを含み得、第１のＧＡＣＫは、ＵＥによって受信されたデータ送信のＡＣＫであり得る。
【００１０】
[0010]本開示の一態様では、方法、コンピュータ可読媒体、および装置が提供される。本装置はＵＥを含み得る。本装置は、基地局から第１の複数のダウンリンクサブフレーム中で受信されたデータ送信の第１のグループに対応するＡＣＫ／ＮＡＣＫの第１のグループを記憶する。別の態様では、本装置は、基地局から、第１のＧＡＣＫを送るための第１のトリガを受信する。たとえば、第１のトリガは第１のタグを含み得る。さらなる態様では、本装置は、第１のタグがＵＥタグに対応しないとき、基地局に、ＡＣＫ／ＮＡＣＫの第１のグループを少なくとも含む第１のＧＡＣＫを送信する。
【００１１】
[0011]本開示の一態様では、方法、コンピュータ可読媒体、および装置が提供される。本装置はＵＥを含み得る。一態様では、本装置はアップリンク制御情報（ＵＣＩ：uplink control information）を生成する。たとえば、ＵＣＩは、ＧＡＣＫ、ランクインジケータ（ＲＩ）、およびＣＳＩ送信を含み得る。別の態様では、本装置は、ＬＢＴサブフレーム中でＵＣＩ送信を送り得る。たとえば、本装置は、ＵＣＩ送信が拡張物理アップリンク共有チャネル（ｅＰＵＳＣＨ）中で送られるとき、ＧＡＣＫ、ＲＩ、およびＣＳＩを別々にコーディングおよび多重化することによって、ＵＣＩを生成し得る。別の例では、本装置は、ＵＣＩ送信が拡張物理アップリンク制御チャネル（ｅＰＵＣＣＨ）中で送られるとき、ＧＡＣＫ、ＲＩ、およびＣＳＩをジョイントコーディングすることによって、ＵＣＩを生成し得る。
【００１２】
[0012]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【図面の簡単な説明】
【００１３】
【図１】[0013]ワイヤレス通信システムおよびアクセスネットワークの一例を示す図。
【図２Ａ】[0014]ＤＬフレーム構造のＬＴＥ例を示す図。
【図２Ｂ】ＤＬフレーム構造内のＤＬチャネルのＬＴＥ例を示す図。
【図２Ｃ】ＵＬフレーム構造のＬＴＥ例を示す図
【図２Ｄ】ＵＬフレーム構造内のＵＬチャネルのＬＴＥ例を示す図。
【図３】[0015]アクセスネットワーク中の発展型ノードＢ（ｅＮＢ）およびユーザ機器（ＵＥ）の一例を示す図。
【図４Ａ】[0016]ＧＡＣＫ、ＣＳＩ、および／またはＵＣＩをトリガすることに関連する例示的な実施形態を示すための第１の図。
【図４Ｂ】ＧＡＣＫ、ＣＳＩ、および／またはＵＣＩをトリガすることに関連する例示的な実施形態を示すための第１の図。
【図５】[0017]ＧＡＣＫをトリガすることに関連する例示的な実施形態を示すための第２の図。
【図６】[0018]ＧＡＣＫをトリガすることに関連する例示的な実施形態を示すための第３の図。
【図７Ａ】[0019]様々な態様による、ワイヤレス通信の方法のフローチャート１０００。
【図７Ｂ】様々な態様による、ワイヤレス通信の方法のフローチャート１０００。
【図７Ｃ】様々な態様による、ワイヤレス通信の方法のフローチャート１０００。
【図８】[0020]様々な態様による、ワイヤレス通信の方法のフローチャート１１００。
【図９】[0021]様々な態様による、ワイヤレス通信の方法のフローチャート１２００。
【図１０】[0022]様々な態様による、ワイヤレス通信の方法のフローチャート１３００。
【図１１】[0023]例示的なシステム中の異なる手段／構成要素間のデータフローを示す概念データフロー図。
【図１２】[0024]処理システムを採用する装置のためのハードウェア実装形態の一例を示す図。
【図１３】[0025]例示的な装置中の異なる手段／構成要素間のデータフローを示す概念データフロー図。
【図１４】[0026]処理システムを採用する装置のためのハードウェア実装形態の一例を示す図。
【発明を実施するための形態】
【００１４】
[0027]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素がブロック図の形式で示される。
【００１５】
[0028]次に、様々な装置および方法に関して電気通信システムのいくつかの態様が提示される。これらの装置および方法は、以下の発明を実施するための形態において説明され、（「要素」と総称される）様々なブロック、構成要素、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１６】
[0029]例として、要素、または要素の任意の部分、または要素の任意の組合せは、１つまたは複数のプロセッサを含む「処理システム」として実装され得る。プロセッサの例としては、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0030]したがって、１つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１８】
[0031]図１は、ワイヤレス通信システムおよびアクセスネットワーク１００の一例を示す図である。（ワイヤレスワイドエリアネットワーク（ＷＷＡＮ）とも呼ばれる）ワイヤレス通信システムは、基地局１０２と、ＵＥ１０４と、発展型パケットコア（ＥＰＣ）１６０とを含む。基地局１０２は、マクロセル（高電力セルラー基地局）および／またはスモールセル（低電力セルラー基地局）を含み得る。マクロセルはｅＮＢを含む。スモールセルは、フェムトセル、ピコセル、およびマイクロセルを含む。
【００１９】
[0032]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を通してＥＰＣ１６０とインターフェースする。他の機能に加えて、基地局１０２は、以下の機能、すなわち、ユーザデータの転送と、無線チャネル暗号化および解読と、完全性保護と、ヘッダ圧縮と、モビリティ制御機能（たとえば、ハンドオーバ、デュアル接続性）と、セル間干渉協調と、接続セットアップおよび解放と、負荷分散と、非アクセス層（ＮＡＳ：non-access stratum）メッセージのための分配と、ＮＡＳノード選択と、同期と、無線アクセスネットワーク（ＲＡＮ：radio access network）共有と、マルチメディアブロードキャストマルチキャストサービス（ＭＢＭＳ：multimedia broadcast multicast service）と、加入者および機器トレースと、ＲＡＮ情報管理（ＲＩＭ：RAN information management）と、ページングと、測位と、警告メッセージの配信とのうちの１つまたは複数を実行し得る。基地局１０２は、バックホールリンク１３４（たとえば、Ｘ２インターフェース）上で互いと直接または間接的に（たとえば、ＥＰＣ１６０を通して）通信し得る。バックホールリンク１３４はワイヤードまたはワイヤレスであり得る。
【００２０】
[0033]基地局１０２はＵＥ１０４とワイヤレス通信し得る。基地局１０２の各々は、それぞれの地理的カバレージエリア１１０に通信カバレージを与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限定グループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通したものであり得る。基地局１０２／ＵＥ１０４は、各方向において送信のために使用される最高合計Ｙｘ  ＭＨｚ（ｘ個のコンポーネントキャリア）のキャリアアグリゲーションにおいて割り振られた、キャリアごとの最高Ｙ  ＭＨｚ（たとえば、５、１０、１５、２０ＭＨｚ）帯域幅のスペクトルを使用し得る。キャリアは、互いに隣接することも隣接しないこともある。キャリアの割振りは、ＤＬとＵＬとに対して非対称であり得る（たとえば、ＤＬの場合、ＵＬの場合よりも多いまたは少ないキャリアが割り振られ得る）。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００２１】
[0034]ワイヤレス通信システムは、５ＧＨｚ無認可周波数スペクトル中で通信リンク１５４を介してＷｉ−Ｆｉ（登録商標）局（ＳＴＡ）１５２と通信しているＷｉ−Ｆｉアクセスポイント（ＡＰ）１５０をさらに含み得る。無認可周波数スペクトル中で通信するとき、ＳＴＡ１５２／ＡＰ１５０は、チャネルが利用可能であるかどうかを決定するために、通信するより前にクリアチャネルアセスメント（ＣＣＡ）を実行し得る。
【００２２】
[0035]スモールセル１０２’は、認可および／または無認可周波数スペクトル中で動作し得る。無認可周波数スペクトル中で動作しているとき、スモールセル１０２’は、ＬＴＥを採用し、Ｗｉ−Ｆｉ  ＡＰ１５０によって使用されるのと同じ５ＧＨｚ無認可周波数スペクトルを使用し得る。無認可周波数スペクトル中でＬＴＥを採用するスモールセル１０２’は、アクセスネットワークへのカバレージをブーストし、および／またはアクセスネットワークの容量を増加させ得る。無認可スペクトルにおけるＬＴＥは、ＬＴＥ無認可（ＬＴＥ−Ｕ：LTE-unlicensed）、認可支援アクセス（ＬＡＡ）、またはＭｕＬＴＥｆｉｒｅと呼ばれることがある。
【００２３】
[0036]ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンター（ＢＭ−ＳＣ：Broadcast Multicast Service Center）１７０と、パケットデータネットワーク（ＰＤＮ）ゲートウェイ１７２とを含み得る。ＭＭＥ１６２はホーム加入者サーバ（ＨＳＳ）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を行う。すべてのユーザインターネットプロトコル（ＩＰ）パケットはサービングゲートウェイ１６６を通して転送され、サービングゲートウェイ１６６自体はＰＤＮゲートウェイ１７２に接続される。ＰＤＮゲートウェイ１７２はＵＥのＩＰアドレス割振りならびに他の機能を与える。ＰＤＮゲートウェイ１７２とＢＭ−ＳＣ１７０とはＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスプロビジョニングおよび配信のための機能を与え得る。ＢＭ−ＳＣ１７０は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用され得、セッション管理（開始／停止）と、ｅＭＢＭＳ関係の課金情報を収集することとを担当し得る。
【００２４】
[0037]基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。基地局１０２は、ＵＥ１０４にＥＰＣ１６０へのアクセスポイントを与える。ＵＥ１０４の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスがある。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２５】
[0038]再び図１を参照すると、いくつかの態様では、ＵＥ１０４は、トリガが受信されたとき、基地局１０２に、ＧＡＣＫ、ＣＳＩ、および／またはＵＣＩを送信するように構成され得る（１９８）。
【００２６】
[0039]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有し得る。ＬＴＥでは、フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットは、１つまたは複数の（物理ＲＢ（ＰＲＢ：physical resource block）とも呼ばれる）時間並列リソースブロック（ＲＢ）を含む。リソースグリッドは複数のリソース要素（ＲＥ）に分割される。ＬＴＥでは、ノーマルサイクリックプレフィックスの場合、ＲＢは、合計８４個のＲＥについて、周波数領域中に１２個の連続するサブキャリアを含んでおり、時間領域中に７つの連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥについて、周波数領域中に１２個の連続するサブキャリアを含んでおり、時間領域中に６個の連続するシンボルを含んでいる。各ＲＥによって搬送されるビット数は変調方式に依存する。
【００２７】
[0040]図２Ａに示されているように、ＲＥのうちのいくつかが、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａは、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。図２Ｂは、フレームのＤＬサブフレーム内の様々なチャネルの一例を示す。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するのか、２つのシンボルを占有するのか、３つのシンボルを占有するのかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ）内でＤＣＩを搬送し、各ＣＣＥは９つのＲＥグループ（ＲＥＧ）を含み、各ＲＥＧは、ＯＦＤＭシンボル中に４つの連続するＲＥを含む。ＵＥは、ＤＣＩをも搬送するＵＥ固有拡張ＰＤＣＣＨ（ｅＰＤＣＣＨ）で構成され得る。ｅＰＤＣＣＨは、２つ、４つ、または８つのＲＢペアを有し得る（図２Ｂは２つのＲＢペアを示し、各サブセットは１つのＲＢペアを含む）。物理ハイブリッド自動再送要求（ＡＲＱ）（ＨＡＲＱ：hybrid automatic repeat request）インジケータチャネル（ＰＨＩＣＨ）もスロット０のシンボル０内にあり、物理アップリンク共有チャネル（ＰＵＳＣＨ）に基づいて、ＨＡＲＱ  ＡＣＫ／ＮＡＣＫフィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報と物理レイヤセル識別情報グループ番号とに基づいて、ＵＥは物理セル識別子（ＰＣＩ）を決定することができる。ＰＣＩに基づいて、ＵＥは上述のＤＬ−ＲＳのロケーションを決定することができる。物理ブロードキャストチャネル（ＰＢＣＨ：physical broadcast channel）は、フレームのサブフレーム０のスロット１のシンボル０、１、２、３内にあり、マスタ情報ブロック（ＭＩＢ）を搬送する。ＭＩＢは、ＤＬシステム帯域幅中のＲＢの数と、ＰＨＩＣＨ構成と、システムフレーム番号（ＳＦＮ）とを与える。物理ダウンリンク共有チャネル（ＰＤＳＣＨ：physical downlink shared channel）は、ユーザデータと、システム情報ブロック（ＳＩＢ）などのＰＢＣＨを通して送信されないブロードキャストシステム情報と、ページングメッセージとを搬送する。
【００２８】
[0041]図２Ｃに示されているように、ＲＥのうちのいくつかが、ｅＮＢにおけるチャネル推定のための復調基準信号（ＤＭ−ＲＳ）を搬送する。ＵＥは、サブフレームの最後のシンボル中でサウンディング基準信号（ＳＲＳ）をさらに送信し得る。ＳＲＳはコム（comb）構造を有し得、ＵＥは、コムのうちの１つ上でＳＲＳを送信し得る。ＳＲＳは、ｅＮＢによって、ＵＬ上での周波数依存スケジューリングを可能にするために、チャネル品質推定のために使用され得る。図２Ｄは、フレームのＵＬサブフレーム内の様々なチャネルの一例を示す。物理ランダムアクセスチャネル（ＰＲＡＣＨ：physical random access channel）が、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨは、ＵＥが初期システムアクセスを実行し、ＵＬ同期を達成することを可能にする。物理アップリンク制御チャネル（ＰＵＣＣＨ：physical uplink control channel）が、ＵＬシステム帯域幅のエッジ上に位置し得る。ＰＵＣＣＨは、スケジューリング要求、チャネル品質インジケータ（ＣＱＩ）、プリコーディング行列インジケータ（ＰＭＩ）、ＲＩ、およびＨＡＲＱ  ＡＣＫ／ＮＡＣＫフィードバックなど、ＵＣＩを搬送する。ＰＵＳＣＨは、データを搬送し得、バッファステータス報告（ＢＳＲ）、パワーヘッドルーム報告（ＰＨＲ）、および／またはＵＣＩを搬送するためにさらに使用され得る。
【００２９】
[0042]図３は、アクセスネットワーク中でＵＥ３５０と通信しているｅＮＢ３１０のブロック図である。ＤＬでは、ＥＰＣ１６０からのＩＰパケットがコントローラ／プロセッサ３７５に与えられ得る。コントローラ／プロセッサ３７５はレイヤ３およびレイヤ２機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定報告のための測定構成とに関連するＲＲＣレイヤ機能、ならびにヘッダ圧縮／復元と、セキュリティ（暗号化、解読、完全性保護、完全性検証）と、ハンドオーバサポート機能とに関連するＰＤＣＰレイヤ機能、ならびに上位レイヤパケットデータユニット（ＰＤＵ）の転送と、ＡＲＱを介した誤り訂正と、ＲＬＣサービスデータユニット（ＳＤＵ）の連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ）上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００３０】
[0043]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングを扱う。コーディングされ、変調されたシンボルは、次いで並列ストリームに分割され得る。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成され得る。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００３１】
[0044]ＵＥ３５０において、各受信機３５４ＲＸは、それのそれぞれのアンテナ３５２を通して信号を受信する。各受信機３５４ＲＸは、ＲＦキャリア上に変調された情報を復元し、その情報を受信（ＲＸ）プロセッサ３５６に与える。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いで、レイヤ３およびレイヤ２機能を実装するコントローラ／プロセッサ３５９に与えられる。
【００３２】
[0045]コントローラ／プロセッサ３５９は、プログラムコードとデータとを記憶するメモリ３６０に関連し得る。メモリ３６０はコンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３５９はまた、ＨＡＲＱ動作をサポートするためにＡＣＫおよび／またはＮＡＣＫプロトコルを使用する誤り検出を担当する。
【００３３】
[0046]ｅＮＢ３１０によるＤＬ送信に関して説明された機能と同様に、コントローラ／プロセッサ３５９は、システム情報（たとえば、ＭＩＢ、ＳＩＢ）獲得と、ＲＲＣ接続と、測定報告とに関連するＲＲＣレイヤ機能、ならびにヘッダ圧縮／復元と、セキュリティ（暗号化、解読、完全性保護、完全性検証）とに関連するＰＤＣＰレイヤ機能、ならびに上位レイヤＰＤＵの転送と、ＡＲＱを介した誤り訂正と、ＲＬＣ  ＳＤＵの連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、ＴＢ上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００３４】
[0047]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００３５】
[0048]ＵＬ送信は、ＵＥ３５０における受信機機能に関して説明された様式と同様の様式でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、その情報をＲＸプロセッサ３７０に与える。
【００３６】
[0049]コントローラ／プロセッサ３７５は、プログラムコードとデータとを記憶するメモリ３７６に関連し得る。メモリ３７６はコンピュータ可読媒体と呼ばれることがある。ＵＬでは、コントローラ／プロセッサ３７５は、ＵＥ３５０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用する誤り検出を担当する。
【００３７】
[0050]図４Ａおよび図４Ｂは、例示的な実施形態を示すための図７００である。図４Ａに示されているように、セル７０２中にあるｅＮＢ７０４は、１つまたは複数のフレーム７０６内の複数のＤＬサブフレーム（たとえば、０、１、２、３、および／または４）中でデータ送信７１０の第１のセットをＵＥ７０８に送り得る図２も参照）。たとえば、１つまたは複数のフレーム７０６および／または７０６’は、認可スペクトル通信において使用される無線フレーム、または無認可スペクトル通信において使用されるＬＢＴフレームであり得る。例示的な実施形態では、図４Ｂを参照すると、データ送信７１０は、ｅＮＢ７０４中の拡張物理ダウンリンク共有チャネル（ｅＰＤＳＣＨ）スケジューラ／送信機７３２によって送られ、ＵＥ７０８中のｅＰＤＳＣＨ受信機７３４によって受信され得る。信号７１０”が、ｅＮＢ７０４から受信された各データ送信７１０についてｅＰＤＳＣＨ受信機７３４からバッファ７８０に送られ得る。ＧＡＣＫ７２４を送信する際にＵＥ７０８によって使用されるアップリンクリソースが、ＲＲＣ接続セットアップ中に構成され得る。たとえば、ＵＥのグループについて、グループ中の各ＵＥは、グループ無線ネットワーク一時識別子（Ｇ−ＲＮＴＩ：group radio network temporary identifier）と、グループ内のインデックス、たとえば、｛０，１，．．．｝とを受信する。ＵＬサブフレーム（たとえば、ＬＢＴフレーム）中のＰＵＣＣＨリソースおよび／またはｅＰＵＣＣＨリソースは、インデックス、たとえば、｛０，１，．．．｝に基づいて各ＵＥについて構成され得る。無認可スペクトルでは、ＰＵＣＣＨは、ＧＡＣＫ、ＣＳＩ、ショートＢＳＲなどに適応するためにより多くのビットを搬送する必要があり得る。したがって、ＬＴＥのための設計は、より多くのビットを搬送するために拡張され、それはｅＰＵＣＣＨと呼ばれる。
【００３８】
[0051]グループトリガリングの場合、ＵＥグループ許可が、（たとえば、以下でＤＣＩフォーマットｎと呼ばれる）まだ決定されていないＤＣＩフォーマットにおいて送られ得る。たとえば、ｎは、１よりも大きいかまたはそれに等しい整数であり得る。そのような例では、ＵＥ７０８は、ＧＡＣＫ７２４を送信するために構成されたｅＰＵＣＣＨより４サブフレーム前のＧ−ＲＮＴＩを用いたＤＬサブフレーム中のｅＰＤＳＣＨを監視し得る。フレームフォーマットは、拡張物理フレームフォーマットインジケータチャネル（ｅＰＦＦＩＣＨ：enhanced physical frame format indicator channel）から推論され得る。たとえば、ｅＰＦＦＩＣＨのためのＦＳ１の値がＦＤＤフォーマットに関連し得、ｅＰＦＦＩＣＨのためのＦＳ２の値がＴＤＤフォーマットに関連し得、ｅＰＦＦＩＣＨのためのＦＳ３の値が無認可スペクトルに関連し得る。
【００３９】
[0052]ＤＣＩフォーマットｎで受信されたトリガ７１８は、ＵＥ７０８においてＧＡＣＫプロシージャを実行するために必要とされるリソースビットマップとデータとを含み得る。リソースビットマップは、グループ中の各ＵＥのためのＣＳＩトリガ、ＧＡＣＫトリガ、およびＧＡＣＫタグを含むのに十分大きくなり得る。たとえば、ＤＣＩフォーマットｎにおいて受信されたトリガ７１８は、３ビットＵＥ固有メッセージを含み得、ここで、所与のＵＥについて、３ビット値は、ＣＳＩトリガについてビット３＊ｉ、ＧＡＣＫトリガについてビット（３＊ｉ＋１）、ＧＡＣＫタグについてビット（３＊ｉ＋２）に配置され、ここで、ｉは、グループ中のＵＥのインデックスであり得る。所与のＵＥのためのＧＡＣＫ７２４を送るために構成されたｅＰＵＣＣＨリソースは、所与のＵＥの前にインデックス付けされたグループ中のＵＥの数に基づいて構成され得る。トリガ７１８は、ＵＬ許可中で送られ得（たとえば、その場合、ＧＡＣＫはｅＰＵＳＣＨを介して送られ得る）またはＤＬ許可中で送られる（たとえば、その場合、ＧＡＣＫはｅＰＵＣＣＨを介して送られ得る）、ＵＥ固有トリガであり得る。無認可スペクトルでは、ＰＵＳＣＨリソースは、帯域幅要件を満たすために不連続ＲＢのグループであるインターレースに分割され得る。したがって、ｅＰＵＳＣＨは、周波数リソースについてインターレース構造をもつＰＵＳＣＨである。
【００４０】
[0053]図４Ｂを参照すると、一態様では、ｅＮＢ７０４は、ｅＮＢＴａｇが０に等しく、すべての保留中のＡＣＫ（pending ACK）ストリングが０に設定されるように、カウンタ７７６を初期化し得る。ＨＡＲＱプロセス（ｋ）上での各データ送信７１０（たとえば、Ｔｘ）について、ｅＮＢ７０４は、ＰｅｎｄｉｎｇＡｃｋｓＳｉｎｃｅＴｒｉｇ７６０のビットｋが１だけ増分されるように、カウンタ７７６を増分するために、信号７１０’を送り得る。ｅＮＢ７０４が、ＰｅｎｄｉｎｇＡＣＫの重みがＴｒｉｇＴｈｒｅｓよりも大きいかまたはそれに等しいと決定した場合、信号７７８が、トリガ７１８を送信するために信号７１８’をｅＰＤＣＣＨスケジューラ／送信機７５２に送る、ＧＡＣＫトリガ／受信機７５４に送られ得る。ｅＮＢ７０４は、トリガ７１８を送信し、ＰｅｎｄｉｎｇＡＣＫに等しくなるようにＰｅｎｄｉｎｇＡＣＫｓＴｉｌｌＴｒｉｇを修正し、０に等しくなるようにＰｅｎｄｉｎｇＡＣＫｓＳｉｎｃｅＴｒｉｇを修正し、ＧＡＣＫ７２４について、対応するｅＰＵＣＣＨ（またはＤＣＩフォーマット０の場合のｅＰＵＳＣＨ）リソースを監視し得る。一態様では、トリガ７１８は、ＵＥ７０８においてｅＰＤＣＣＨ受信機７３６によって受信され得、信号７１８”がＧＡＣＫ受信機／送信機７３８に送られ得、ＧＡＣＫ受信機／送信機７３８は、ＨＡＲＱｓＳｉｎｃｅＴｒｉｇ７４２、ＡＣＫｓＳｉｎｃｅＴｒｉｇ７４４、ＡＣＫｓＴｉｌｌＴｒｉｇ７４８、および／またはＵＥＴａｇ７５０をバッファするバッファ７８０からの信号７７２を送信および／または受信することによってＧＡＣＫ７２４を生成する。
【００４１】
[0054]ＧＡＣＫ受信機／送信機７３８は、次いで、信号７２４’をｅＰＵＣＣＨ送信機７４０に送り得、ＰＵＣＣＨ送信機７４０はＧＡＣＫ７２４をｅＮＢ７０４に送信し、ここで、ＧＡＣＫ７２４はｅＰＵＣＣＨ受信機７５６において受信され得る。ＧＡＣＫ７２４が受信されると、ｅＰＵＣＣＨ受信機７５６は信号７２４”をＧＡＣＫトリガ／受信機７５４に送り得、ＧＡＣＫトリガ／受信機７５４は、信号７７８をカウンタ７７６に送ることによって、ＰｅｎｄｉｎｇＡＣＫｓＴｉｌｌＴｒｉｇ７６２をクリアし、ｅＮＢＴａｇ７６４を（たとえば、「０」から「１」に）フリップし得る。ＧＡＣＫトリガ／受信機７５４はまた、信号７７０をＨＡＲＱマネージャ７５８に送り得、ＨＡＲＱマネージャ７５８は、受信されたＧＡＣＫ７４２に関係する情報７６６をｅＰＤＳＣＨスケジューラ／送信機７３２に送り得る。ＧＡＣＫ７２４が受信されない場合、ｅＮＢ７０４は新しいトリガを送り得る。ｅＮＢ７０４は、保留中のＨＡＲＱプロセスに対して新しいデータをスケジュールすることを選定し得る。いくつかの例示的なＧＡＣＫプロセス７７４が、図４Ｂ中の点線ボックス内に示されている。
【００４２】
[0055]例示的な実施形態では、ＵＥ７０８は、１に等しいＵＥＴａｇを初期化し、すべてのＡＣＫストリングを０ストリングに設定し得る。ＵＥ７０８は、（たとえば、ＤＬ／ＵＬ構成を伝達し、ダウンリンクチャネル使用ビーコンシーケンス（Ｄ−ＣＵＢＳ：downlink channel usage beacon sequence）の一部であり得る）ｅＰＦＦＩＣＨと、ｅＮＢ７０４から送られたトリガ７１８メッセージとから、ＧＡＣＫ７２４を送るためのｅＰＵＣＣＨロケーションを推論し得る。ＵＥ７０８がトリガ７１８を受信したとき、ＵＥ７０８は、ＵＥＴａｇがＧＡＣＫトリガタグビットに等しいかどうかを決定し得る。ＵＥＴａｇがＧＡＣＫトリガタグビットに等しい場合、ＵＥ７０８は、前のＧＡＣＫがｅＮＢ７０４によって適切に受信されなかったと決定し得る。したがって、新しいＧＡＣＫは、ＡＣＫｓＴｉｌｌＴｒｉｇとＡＣＫｓＳｉｎｃｅＴｒｉｇの両方を使用して形成され得、ＡＣＫｓＳｉｎｃｅＴｒｉｇは、同じＨＡＲＱプロセスがトリガの前ならびに後に出現した場合に選定される。ＵＥ７０８は、送られたＧＡＣＫをＡＣＫｓＴｉｌｌＴｒｉｇに移動し（たとえば、ＡＣＫｓＳｉｎｃｅＴｒｉｇによってＡＣＫｓＴｉｌｌＴｒｉｇを効果的に増分し）、ＡＣＫｓＳｉｎｃｅＴｒｉｇをリセットし得る。しかしながら、ＵＥＴａｇがＧＡＣＫトリガタグビットに等しくない場合、ＵＥ７０８は、前のＧＡＣＫが成功したかまたはこれが第１のＧＡＣＫトリガであると決定し得る。ここで、新しいＧＡＣＫは、ＡＣＫｓＳｉｎｃｅＴｒｉｇを使用して形成され得る。ＵＥ７０８は、ＧＡＣＫ中のＡＣＫ／ＮＡＣＫの数に等しくなるようにＡＣＫｓＴｉｌｌＴｒｉｇを修正し、０に等しくなるようにＡＣＫｓＳｉｎｃｅＴｒｉｇを設定し得、このことはＡＣＫｓＳｉｎｃｅＴｒｉｇをリセットする。ＵＥ７０８は、ＵＥＴａｇがｅＮＢＴａｇに一致するようにＵＥＴａｇをフリップし得、このことは、他の失敗の場合、ＧＡＣＫトリガタグビットとＵＥｔａｇ７０４との同期を保証し得る。一態様では、ＵＥＴａｇおよび／またはＧＡＣＫトリガビットタグのうちの１つまたは複数が、同じ結果を達成するための任意の整数および／またはカウンタであり得る。
【００４３】
[0056]例示的な方法によれば、ｅＮＢ７０４は、ＤＬサブフレーム中でＵＥ７０８に送られた各データ送信７１０についてカウンタ７１２を増分し得、ＵＥ７０８は、データ送信７１０のためのＡＣＫ／ＮＡＣＫの第１のグループ７１６をバッファし得る。たとえば、ＵＥ７０８は、ＡＣＫ／ＮＡＣＫの第１のグループ７１６を第１のメモリロケーションにバッファし得る。カウンタ７１２がしきい値に達するかまたはそれを上回るとき（たとえば、あらかじめ決定された数のデータ送信７１０がＵＥ７０８に送られた後に）、ｅＮＢ７０４は、カウンタ７１４をクリアし、トリガ７１８をＵＥ７０８に送信し得る。一態様では、トリガ７１８は、ＵＥ７０８によってバッファされたＡＣＫ／ＮＡＣＫの第１のグループ７１６を含むＧＡＣＫ７２４のためのものであり得る。一態様では、ＧＡＣＫ７２４のためのトリガ７１８は、ｅＮＢタグ（eNB tag）を含み得、トリガ７１８は、あらかじめ決定されたＤＬサブフレーム（たとえば、ＰＤＣＣＨサブフレーム）中で送信され得る。ｅＮＢタグは値（たとえば、「０」または「１」）を含み得る。トリガ７１８が受信されたとき、ＵＥは、ｅＮＢタグがＵＥタグ（UE tag）７２０に対応および／または一致するかどうかを決定する。別の態様では、トリガ７１８はＵＣＩのためのものであり得る。
【００４４】
[0057]ｅＮＢタグがＵＥタグ７２０に対応しない場合、ＵＥ７０８は、ｅＮＢタグを含むトリガ７１８が、ＧＡＣＫプロセス中で受信された第１のトリガであること、あるいは、以前のＧＡＣＫ（たとえば、フレーム７０６中のサブフレーム６中で送信されたＧＡＣＫ）が、ｅＮＢ７０４によって正常に受信され、誤り検出テストにパスしたことのいずれかを決定し得る。言い換えれば、ｅＮＢタグがＵＥタグ７２０に対応しないとき、ＵＥ７０８は、ＧＡＣＫ７２４（たとえば、フレーム７０６’のＵＬサブフレーム６中で送信されたＧＡＣＫ）を送信し得、ＧＡＣＫ７２４は、フレーム７０６’中のＤＬサブフレーム０、１、および２中ならびにフレーム７０６中のＤＬサブフレーム３および４中でｅＮＢ７０４によって送られたデータ送信７１０に対応するＡＣＫ／ＮＡＣＫの第１のグループ７１６を含む。この第１のシナリオでは、図５に関して以下で説明されるように、ＵＥ７０８は、ｅＮＢタグに対応するようにＵＥタグ７２２を修正する。
【００４５】
[0058]しかしながら、ｅＮＢタグがＵＥタグに対応するとき、ＵＥ７０８は、以前のＧＡＣＫ（たとえば、フレーム７０６のＵＬサブフレーム６中で送信されたＧＡＣＫ）が、ｅＮＢ７０４によって正常に受信されなかった、および／または誤り検出テストにパスしなかったと決定する。この状況では、ＵＥ７０８は、ＧＡＣＫ７２４（たとえば、フレーム７０６’中のＵＬサブフレーム６中で送信されるＧＡＣＫ）を送信し得、ＧＡＣＫ７２４は、フレーム７０６’中のサブフレーム０、１、および２中ならびにフレーム７０６中のサブフレーム３および４中で送られたデータ送信に関連するＡＣＫ／ＮＡＣＫの第１のグループ７１６と、フレーム７０６中のサブフレーム０、１、および２中で送られた前のデータ送信に関連するＡＣＫ／ＮＡＣＫの第２のグループとを含む。この第２のシナリオでは、図６に関して以下で説明されるように、ＵＥ７０８は、トリガ中に含まれるｅＮＢタグに対応するようにそれのＵＥタグ７２２を修正する必要がなく、したがって、ＵＥタグ７２２を修正することを控え得る。
【００４６】
[0059]第１のシナリオまたは第２のシナリオのいずれかで、ＵＥ７０８は、ＡＣＫ／ＮＡＣＫのバッファされたグループ７１６を第１のメモリロケーションから第２のメモリロケーションに移動し得る。このようにして、ＧＡＣＫ７２４が、適切に受信されず、および／または誤り検出テスト７２６に失敗した場合、ＵＥ７０８は、ＡＣＫ／ＮＡＣＫの第２のグループとともに次のＧＡＣＫ７２４中でＡＣＫ／ＮＡＣＫのこの第１のグループ７１６を再送信し得る。
【００４７】
[0060]さらに、ＵＥ７０８は、誤り検出テスト７２６においてｅＮＢ７０４によって使用され得る巡回冗長検査（ＣＲＣ）をＧＡＣＫ中に含め得る。例示的な実施形態では、トリガ７１８がその中で送信されるＤＬサブフレーム（たとえば、ＰＤＣＣＨまたはｅＰＤＣＣＨ）は、ＧＡＣＫ７２４を送信するためにＵＥ７０８によって使用されるＵＬサブフレーム（たとえば、ＰＵＣＣＨまたはｅＰＵＣＣＨ）を決定し得る。ＧＡＣＫ７２４が、トリガ７１８を含むＤＬサブフレームから４サブフレーム後に送信されると仮定すると、トリガ７１８がＤＬサブフレーム２中でｅＮＢ７０４によって送信された場合、ＵＥ７０８は、同じフレームのＵＬサブフレーム６中でＧＡＣＫ７２４を送信し得る。ＲＲＣサブレイヤは、トリガ７１８のためのＤＬサブフレーム中の特定のリソースと、ＧＡＣＫ７２４のためのＵＬサブフレーム中の特定のリソースとを構成し得る。別の態様では、ｅＮＢ７０４によって送信されたトリガ７１８は、ＵＥのグループを対象とするビットマップ（図４Ａおよび図４Ｂに図示せず）を含み得、各ＵＥ７０８は、トリガ７１８に応答する際に使用されるべきアップリンクリソースを決定するためにビットマップを処理し得る。
【００４８】
[0061]一態様では、ＵＥ７０８は、トリガ７１８についてＤＬサブフレーム中の特定のリソースを監視し得、ｅＮＢ７０４は、ＧＡＣＫ７２４についてＵＬサブフレーム中の特定のリソースを監視し得る。ＧＡＣＫ７２４が受信されたとき、ｅＮＢ７０４は、ＧＡＣＫ７２４に対して誤り検出テスト７２６を実行し得る。たとえば、ＧＡＣＫ７２４中に含まれるＣＲＣが、ｅＮＢ７０４によって誤り検出テスト７２６を実行するために使用され得る。ＧＡＣＫ７２４が誤り検出テスト７２６にパスした場合、ｅＮＢ７０４は、後続のトリガ中に含まれるべき新しいｅＮＢタグ７２８を生成し得、このことは、ＧＡＣＫ７２４が受信され、誤り検出テスト７２６にパスしたことをＵＥ７０８に示すことになる。しかしながら、ＧＡＣＫ７２４がｅＮＢ７０４によって受信されなかった場合、またはＧＡＣＫ７２４が受信されたが、誤り検出テスト７２６にパスしなかった場合、ｅＮＢ７０４は、新しいｅＮＢタグ７２８を生成することを控え得る。代わりに、同じｅＮＢタグが後続のトリガ中に含まれ得、このことは、前に送信されたＧＡＣＫ７２４が、受信されなかったか、または誤り検出テスト７２６に失敗したかのいずれかであることをＵＥ７０８に示し得る。
【００４９】
[0062]代替的に、ｅＮＢ７０４が、受信されなかったかまたは欠陥のあるＧＡＣＫ７２４中のＡＣＫ／ＮＡＣＫのグループ７１６が不要であると決定した場合、ｅＮＢ７０４は、ＵＥ７０８への後続のトリガに含まれるべき新しいｅＮＢタグ７２８を生成するフレキシビリティを有する。場合によっては、ｅＮＢ７０４は、ＧＡＣＫ７２４が誤り検出テスト７２６にパスしたとき、ＡＣＫをＵＥ７０８に送信し得、ＧＡＣＫ７２４が、受信されなかったか、または誤り検出テスト７２６に失敗したかのいずれかのとき、ＮＡＣＫをＵＥ７０８に送信し得る。
【００５０】
[0063]トリガ７１８は、ＵＥ７０８においてフォールスアラームを生じ得る。ＵＥ７０８によって送信されたＧＡＣＫ７２４が、１６ビットＣＲＣを含む場合、ＧＡＣＫトリガフォールスアラーム見込みは、約１／６５Ｋ  ＬＢＴフレーム、すなわち、６５０秒ごとに１フォールスアラームである。ＧＡＣＫトリガフォールスアラームのＵＥ側結果は、ＵＥ７０８が、前のＧＡＣＫが成功したという仮定に基づいて動作し、したがって、古いＡＣＫ／ＮＡＣＫを捨てることを含み得る。ただし、ＵＥ挙動は、次の成功したＧＡＣＫの後に補正され得る。フォールスアラームの場合、ＲＬＣサブレイヤ介入（たとえば、ＲＬＣ  ＡＲＱ）のバーストが、フォールスアラームを補正し得る。
【００５１】
[0064]代替的に、ＧＡＣＫ７２４中に含まれるＣＲＣを２４ビットまで増加させること、またはｅＮＢ７０４に、ＧＡＣＫタグに関係するＵＥ７０８にＡＣＫ／ＮＡＣＫを送らせることによって、フォールスアラームレートが低減され得る。たとえば、ｅＮＢ７０４が、グループ１のためのグループトリガを送り、グループ１中のＵＥ１が、トリガを得ず、および／またはＣＣＡに失敗し、グループ２中のＵＥ２が、トリガフォールスアラームを有し、ＧＡＣＫを送信し、ｅＮＢ７０４が、ＧＡＣＫをＵＥ１から来たものとして復号し得ると仮定する。ここで、ＵＥ２は、次の成功したＧＡＣＫの後に、ｅＮＢ７０４と同期し得る。場合によっては、これは、ＲＬＣサブレイヤ介入（たとえば、ＲＬＣ  ＡＲＱ）のバーストを生じ得る。１６ビットＣＲＣをＧＡＣＫに含めることによっても、フォールスアラームレートは低減され得る。ＵＥ７０８は、次にＵＥＴａｇがＧＡＣＫトリガタグに一致しないとき、ｅＮＢ７０４に従い得る。これは、たとえば、ＲＬＣ  ＡＲＱを介した、ＲＬＣ再送信／重複のまれなバーストを生じ得る。
【００５２】
[0065]例示的な実施形態では、ＵＥ７０８は、ｅＮＢ７０４によって正しく受信され得るＧＡＣＫ７２４を送り得る。一態様では、ｅＮＢ７０４は、ＵＥ７０８に、ＧＡＣＫトリガタグとしてＧＡＣＫ７２４のためのＡＣＫを送り得る。これにより、ＵＥ７０８は、７３０において、新しいＧＡＣＫ７２４をｅＮＢ７０４に送り得る。１つのシナリオでは、ｅＮＢ７０４は、ＧＡＣＫ７２４を監視し得、ＧＡＣＫ７２４が受信されたとき、ＧＡＣＫ７２４は、誤り検出テストにパスしないことがある（たとえば、ＣＲＣが検査しない）。ここで、ＡＣＫが、前に受信されたＧＡＣＫについてｅＮＢ７０４によって送られた場合、ｅＮＢ７０４は、トリガがＵＥ７０８によって受信されなかったときと、ＣＣＡが失敗したときとを区別できないことがある。たとえば、ｅＮＢ７０４は、ＵＥ７０８がトリガ７１８を受信しなかったかどうか、またはＣＣＡが失敗し、したがってＵＥ７０８がＧＡＣＫ７２４を送信しなかったかどうかを決定できないことがある。ｅＮＢ７０４は、次にトリガ７１８を繰り返し得るか、またはｅＮＢ７０４は、繰返しＧＡＣＫトリガ（repeat GACK trigger）を送らないことを決定し得る。場合によっては、ＵＥ７０８は、最新のＧＡＣＫが成功したと考え得る。決定を行うために、ｅＮＢ７０４は、この混乱に対処するために（たとえば、ＲＬＣサブレイヤからの）復元論理を必要とし得る。
【００５３】
[0066]ＧＡＣＫ７２４送信は、独立して、またはＡ−ＣＳＩと組み合わせて送られ得る。独立したＧＡＣＫ７２４送信の場合、ペイロードは、ＮHARQ×Ｌビットによって決定され得、ここで、ＮHARQはＨＡＲＱプロセスの数であり、Ｌはコードワードの数である（たとえば、２×２ＭＩＭＯが使用される場合、Ｌ＝２である）。ペイロードを低減するためにＵＥ７０８によって何らかのＡＣＫバンドリング、たとえば、コードワードにわたるバンドリングが使用され得る。Ａ−ＣＳＩ送信の場合、完全なペイロードは、ＲＩビット、ＣＱＩビット、および／またはＰＭＩビットを含み得る。ｅＰＵＳＣＨ中での送信の場合、ＧＡＣＫ、ＲＩ、およびＡ−ＣＳＩは、別々にコーディングおよび多重化され得る。ここで、バースト的干渉に対するダイバーシティを増加させるために、リソース要素割振りが変わり得る。たとえば、時間ダイバーシティを取得するために、異なるＡＣＫ／ＮＡＣＫマッピングが使用され得る。ヌルＴＢ割当て（null TB assignment）を実行する方法は、スケジュールされるＲＢの数における制限を変えるためのものであり得る。インターレースベースＬＴＥ−Ｕの場合、ＲＢの最小数は１０であり得る。したがって、インターレースの数が１（たとえば、１０ＲＢ）である場合、ヌルＴＢサイズがシグナリングされ得る。
【００５４】
[0067]ｅＰＵＣＣＨ中での送信では、（たとえば、ＣＲＣの追加とともに）ＵＣＩがジョイントコーディングされ得る。ただし、ペイロードは、ゼロパディングされることもゼロパディングされないこともある。一態様では、ペイロードは、異なるＲＩ値について同じサイズを有するように（たとえばパリティビットを用いて）ゼロパディングされ得る。このことは、ＵＥ７０８がＲＩとＰＭＩ／ＣＱＩとを同時に送り得るので、必要とされ得る。ＵＥ７０８における送信電力は、パディング／パリティなしのビット数から決定され得る。別の態様では、ペイロードはゼロパディングされないことがあり、ｅＮＢ７０４は、複数の異なる潜在的ペイロードサイズについてブラインド復号を実行しなければならないことがある。
【００５５】
[0068]図５は、例示的な実施形態を示すための第２の図８００である。上記で説明されたように、ｅＮＢは、１つまたは複数のフレーム８０２および／または８０２’中のＤＬサブフレーム（たとえば、０、１、２、３、および／または４）中でデータ送信をＵＥに送り得る。ＵＥは、１つまたは複数のフレーム８０２および／または８０２’中のＵＬサブフレーム（たとえば、６、７、および８）中で送信をｅＮＢに送り得る。上記でも説明されたように、ＵＥは、トリガが受信されるまで、ｅＮＢからのデータ送信に関連するＡＣＫ／ＮＡＣＫのグループをバッファし得る。図５に示されているように、ｅＮＢは、フレーム８０２中のＤＬサブフレーム０、１、および２中で送られたデータ送信のためのＡＣＫ／ＮＡＣＫの第１のグループを含む第１のＧＡＣＫのための第１のトリガを（たとえば、フレーム８０２のサブフレーム２中で）送信し得る。ＡＣＫ／ＮＡＣＫの第１のグループは、ＵＥにおいてＰｅｎｄｉｎｇＵＥＡＣＫとしてバッファされ得る。本例では、第１のトリガ中に含まれるｅＮＢタグは、「０」の値を有する。ＵＥが、ＵＥタグが「１」の値を有し、したがって、第１のトリガ中に含まれるｅＮＢタグの「０」値に対応しないと決定すると仮定する。ＵＥは、次いで、フレーム８０２のＵＬサブフレーム６中で第１のＧＡＣＫをｅＮＢに送信する。第１のＧＡＣＫは、フレーム８０２中のＤＬサブフレーム０、１、および２中で送られたデータ送信に関連するＡＣＫ／ＮＡＣＫの第１のグループ（たとえば、ＰｅｎｄｉｎｇＵＥＡＣＫ）を含む。本例では、ＵＥは、第１のＧＡＣＫが送信されるとき、第１のトリガ中で受信されたｅＮＢタグの値に対応または一致するようにＵＥタグの値を修正し得る。すなわち、ＵＥタグの値は、「１」から「０」に修正され得る。修正されたＵＥタグは、場合によっては、ｅＮＢによる参照のために第１のＧＡＣＫ中に含まれ得る。さらに、ＵＥは、ＳｅｎｔＵＥＡＣＫとしてＡＣＫ／ＮＡＣＫの第１のグループをバッファし得る。本例では、第１のＧＡＣＫは、ｅＮＢにおいて受信され、誤り検出テストにパスする。したがって、ｅＮＢは、ｅＮＢタグがもはやＵＥタグに対応しないように、ｅＮＢタグを修正し得る。たとえば、ｅＮＢタグの値は、「０」から「１」に修正され得る。
【００５６】
[0069]本例では、ｅＮＢは、フレーム８０２’のサブフレーム２中で第２のトリガをＵＥに送る。フレーム８０２中のＤＬサブフレーム３および４、ならびにフレーム８０２’中のＤＬサブフレーム０、１、および２中で送られたデータ送信のための、ＵＥによってＰｅｎｄｉｎｇＵＥＡＣＫとしてバッファされる、ＡＣＫ／ＮＡＣＫの第２のグループを含む第２のＧＡＣＫのためのものである第２のトリガ。第２のトリガが、「１」の修正されたｅＮＢタグ値を含み、ＵＥが、ＵＥタグが、「１」のｅＮＢタグ値に対応しない「０」の値を有すると決定すると仮定する。このことは、第１のＧＡＣＫが受信され、誤り検出テストにパスしたことをＵＥに示す。したがって、ＵＥは、場合によっては、ＰｅｎｄｉｎｇＵＥＡＣＫをクリアし得る。その上、ＵＥは、フレーム８０２’のＵＬサブフレーム６中で第２のＧＡＣＫを送信し得る。第２のＧＡＣＫは、フレーム８０２中のＤＬサブフレーム３および４、ならびにフレーム８０２’中のＤＬサブフレーム０、１、および２のためのＰｅｎｄｉｎｇＵＥＡＣＫを含む。この場合も、ＵＥは、第２のＧＡＣＫが送信されるとき、第２のトリガ中で受信されたｅＮＢタグの値に対応または一致するようにＵＥタグの値を「１」に修正する。ＵＥタグの修正された値は、場合によっては、ｅＮＢによる参照のために第２のＧＡＣＫ中に含まれ得る。さらに、ＵＥは、ＳｅｎｔＵＥＡＣＫとしてＰｅｎｄｉｎｇＵＥＡＣＫをバッファし得る。このようにして、各トリガされたＧＡＣＫが、ｅＮＢによって受信され、誤り検出テストにパスする限り、例示的なプロセスは続き得る。
【００５７】
[0070]図６は、例示的な実施形態を示すための第３の図９００である。上記で説明されたように、ｅＮＢは、１つまたは複数のフレーム９０２および／または９０２’中のＤＬサブフレーム（たとえば、０、１、２、３、および／または４）中でデータ送信をＵＥに送り得る。ＵＥは、１つまたは複数のフレーム９０２および／または９０２’中のＵＬサブフレーム（たとえば、６、７、および８）中で送信をｅＮＢに送り得る。上記でも説明されたように、ＵＥは、トリガが受信されるまで、ｅＮＢからのデータ送信に関連するＡＣＫ／ＮＡＣＫのグループをバッファし得る。図６に示されているように、ｅＮＢは、フレーム９０２中のＤＬサブフレーム０、１、および２中で送られたデータ送信のためのＡＣＫ／ＮＡＣＫの第１のグループを含む第１のＧＡＣＫのための第１のトリガを（たとえば、フレーム９０２のサブフレーム２中で）送信し得る。ＡＣＫ／ＮＡＣＫの第１のグループは、ＵＥにおいてＰｅｎｄｉｎｇＵＥＡＣＫとしてバッファされ得る。本例では、第１のトリガ中に含まれるｅＮＢタグは、「０」の値を有する。ＵＥが、ＵＥタグが場合によっては、「１」の値を有し、したがって、第１のトリガ中に含まれるｅＮＢタグの「０」値に対応しないと決定すると仮定する。ＵＥは、フレーム９０２のＵＬサブフレーム６中で第１のＧＡＣＫをｅＮＢに送信し得る。第１のＧＡＣＫは、フレーム９０２中のＤＬサブフレーム０、１、および２中で送られたデータ送信に関連するＡＣＫ／ＮＡＣＫの第１のグループ（たとえば、ＰｅｎｄｉｎｇＵＥＡＣＫ）を含む。本例では、ＵＥは、第１のＧＡＣＫが送信されるとき、第１のトリガ中で受信されたｅＮＢタグの値に対応または一致するようにＵＥタグの値を修正する。すなわち、ＵＥタグの値は、「１」から「０」に修正され得る。修正されたＵＥタグは、場合によっては、ｅＮＢによる参照のために第１のＧＡＣＫ中に含まれ得る。さらに、ＵＥは、ＳｅｎｔＵＥＡＣＫとしてＰｅｎｄｉｎｇＵＥＡＣＫをバッファし得る。この例では、第１のＧＡＣＫが、ｅＮＢによって受信されないか、または誤り検出テストにパスしないかのいずれかであると仮定する。したがって、ｅＮＢはｅＮＢタグを修正せず、第２のトリガ中で送信されるｅＮＢタグは、ＵＥタグに対応し得る。たとえば、ｅＮＢタグの値は「０」のままである。
【００５８】
[0071]本例では、第１のＧＡＣＫがｅＮＢによって適切に受信されなかったので、第２のトリガが、「０」のｅＮＢ値とともにフレーム９０２’のサブフレーム２中でＵＥに送信される。フレーム９０２中のＤＬサブフレーム３および４、ならびにフレーム９０２’中のＤＬサブフレーム０、１、および２中で送られたデータ送信のための（ＵＥによってＰｅｎｄｉｎｇＵＥＡＣＫとしてバッファされる）ＡＣＫ／ＮＡＣＫの第２のグループを含む第２のＧＡＣＫのためのものであり、（たとえば、ＵＥによってＳｅｎｔＵＥＡＣＫとして現在バッファされている）ＡＣＫ／ＮＡＣＫの第１のグループのためのものである、第２のトリガ。本例では、第２のトリガが受信されたとき、ＵＥは、ＵＥタグが、「０」のｅＮＢタグ値に対応する「０」の値を有すると決定する。このことは、第１のＧＡＣＫがｅＮＢによって適切に受信されなかったことをＵＥに示す。したがって、ＵＥは、フレーム９０２中のＤＬサブフレーム３および４、ならびにフレーム９０２’中のＤＬサブフレーム０、１、および２’中で送られたデータ送信のためのＰｅｎｄｉｎｇＵＥＡＣＫと、フレーム９０２中のＤＬサブフレーム０、１、および２中で送られたデータ送信のためのＳｅｎｔＵＥＡＣＫとを含む、第２のＧＡＣＫを送信する。フレーム９０２’のＵＬサブフレーム６中で送信される第２のＧＡＣＫ。ここで、ＵＥは、ＵＥタグの「０」値が、第２のトリガ中で受信された「０」のｅＮＢタグ値の値にすでに対応または一致するので、ＵＥタグの「０」値を修正しない。ＵＥタグの修正されていない値は、場合によっては、ｅＮＢによる参照のために第２のＧＡＣＫ中に含まれ得る。さらに、ＵＥは次に、ＡＣＫ／ＮＡＣＫの第１のグループとＡＣＫ／ＮＡＣＫの第２のグループの両方がＳｅｎｔＵＥＡＣＫとしてバッファされるように、ＳｅｎｔＵＥＡＣＫとしてＡＣＫ／ＮＡＣＫの第２のグループをバッファし得る。このようにして、例示的なプロセスは、すべてのＧＡＣＫがｅＮＢによって適切に受信され、復号されることを保証するために冗長性を与え得る。
【００５９】
[0072]図７Ａ〜図７Ｃは、様々な態様による、ワイヤレス通信の方法のフローチャート１０００を示す。本方法は、ｅＮＢ７０４など、基地局／ｅＮＢによって実行され得る。破線で示される動作が、本開示の様々な態様のための随意の動作を表すことを理解されたい。
【００６０】
[0073]図７Ａに示されているように、ステップ１００２において、ｅＮＢは、ＵＥに、第１の複数のダウンリンクサブフレームに関連するデータ送信を送る。たとえば、図４Ａを参照すると、セル７０２中にあるｅＮＢ７０４は、１つまたは複数のフレーム７０６および／または７０６’内の複数のＤＬサブフレーム（たとえば、０、１、２、３、および／または４）中でデータ送信７１０の第１のセットをＵＥ７０８に送り得る。たとえば、１つまたは複数のフレーム７０６および／または７０６’は、ＬＴＥ−Ａ通信において使用される無線フレーム、またはＬＴＥ−Ｕ通信において使用されるＬＢＴフレームであり得る。
【００６１】
[0074]ステップ１００４において、ｅＮＢは、ＵＥに送られた第１の複数のダウンリンクサブフレームに関連する各データ送信についてカウンタを増分する。たとえば、図４Ａを参照すると、ｅＮＢ７０４は、ＤＬサブフレーム中でＵＥ７０８に送られた各データ送信７１０についてカウンタ７１２を増分する。
【００６２】
[0075]ステップ１００６において、ｅＮＢは、カウンタがしきい値よりも大きいかまたはそれに等しいとき、ＵＥに、第１のＧＡＣＫのための第１のトリガを送信する。第１のトリガは第１のタグを含み得、第１のＧＡＣＫは、ＵＥによって受信されたデータ送信の肯定応答を含み得る。たとえば、図４Ａを参照すると、カウンタ７１２がしきい値に達するかまたはそれを上回るとき（たとえば、あらかじめ決定された数のデータ送信７１０がＵＥ７０８に送られた後に）、ｅＮＢ７０４は、トリガ７１８をＵＥ７０８に送信する。一態様では、トリガ７１８は、ＵＥ７０８によってバッファされたＡＣＫ／ＮＡＣＫの第１のグループ７１６を含むＧＡＣＫ７２４のためのものであり得る。一態様では、ＧＡＣＫ７２４のためのトリガ７１８は、ｅＮＢタグを含み、トリガ７１８は、あらかじめ決定されたＤＬサブフレーム（たとえば、ＰＤＣＣＨサブフレーム）中で送信され得る。ｅＮＢタグは値（たとえば、「０」または「１」）を含み得る。
【００６３】
[0076]ステップ１００８において、ｅＮＢは、第１のトリガが送信されるとき、カウンタをリセットする。たとえば、図４Ａを参照すると、ＧＡＣＫトリガがＵＥ７０８において受信されると、ＧＡＣＫ受信機／送信機７３８は、次いで、信号７２４’をｅＰＵＣＣＨ送信機７４０に送り得、ＰＵＣＣＨ送信機７４０はＧＡＣＫ７２４をｅＮＢ７０４に送信し、ここで、ＧＡＣＫ７２４はｅＰＵＣＣＨ受信機７５６において受信され得る。
【００６４】
[0077]ステップ１０１０において、ｅＮＢは、ＵＥからの第１のＧＡＣＫについて後続のサブフレームを監視する。たとえば、図４Ａを参照すると、カウンタ７１２がしきい値に達するかまたはそれを上回るとき（たとえば、あらかじめ決定された数のデータ送信７１０がＵＥ７０８に送られた後に）、ｅＮＢ７０４はカウンタ７１４をクリアする。
【００６５】
[0078]ステップ１０１２において、ｅＮＢは、第１のＧＡＣＫが後続のサブフレーム中で受信されるかどうかを決定する。第１のＧＡＣＫが受信されると決定された場合、本方法は図７Ｂに移動する。代替的に、第１のＧＡＣＫが受信されないと決定された場合、本方法は図７Ｃに移動する。
【００６６】
[0079]図７Ｂに示されているように、ステップ１０１４において、ｅＮＢは、ＵＥから第１のＧＡＣＫを受信する。受信された第１のＧＡＣＫは、第１の複数のダウンリンクサブフレームに関連するＡＣＫ／ＮＡＣＫの第１のグループを含み得る。たとえば、図４Ａを参照すると、ＧＡＣＫ７２４がｅＮＢ７０４において受信されたとき、ｅＮＢ７０４は、ＰｅｎｄｉｎｇＡＣＫｓＴｉｌｌＴｒｉｇをクリアし、ｅＮＢＴａｇを（たとえば、「０」から「１」に）フリップし得る。ＧＡＣＫ７２４は、ＵＥ７０８によってバッファされたＡＣＫ／ＮＡＣＫの第１のグループ７１６および／またはＡＣＫ／ＮＡＣＫの第２のグループのうちの１つまたは複数を含み得る。
【００６７】
[0080]ステップ１０１６において、ｅＮＢは、受信された第１のＧＡＣＫに対して誤り検出テストを実行する。たとえば、図４Ａを参照すると、ＧＡＣＫ７２４が受信されたとき、ｅＮＢ７０４は、ＧＡＣＫ７２４に対して誤り検出テスト７２６を実行し得る。たとえば、ＧＡＣＫ７２４中に含まれるＣＲＣが、ｅＮＢ７０４によって誤り検出テスト７２６を実行するために使用され得る。
【００６８】
[0081]ステップ１０１８において、ｅＮＢは、第１のＧＡＣＫが誤り検出テストにパスするかどうかを決定する。第１のＧＡＣＫが誤り検出テストにパスすると決定された場合、本方法はステップ１０２０に移動する。代替的に、第１のＧＡＣＫが誤り検出テストに失敗すると決定された場合、本方法はステップ１０２２に移動する。
【００６９】
[0082]第１のＧＡＣＫが誤り検出テストにパスした場合、ステップ１０２０において、ｅＮＢは、受信された第１のＧＡＣＫが誤り検出テストにパスしたとき、ＵＥにＡＣＫを送信する。たとえば、図４Ａを参照すると、ｅＮＢ７０４は、ＧＡＣＫ７２４が誤り検出テスト７２６にパスしたとき、ＵＥ７０８にＡＣＫを送信し得る。
【００７０】
[0083]ステップ１０２４において、ｅＮＢは、第２のタグを生成する。たとえば、図４Ａを参照すると、ＧＡＣＫ７２４が誤り検出テスト７２６にパスした場合、ｅＮＢ７０４は、後続のトリガ中に含まれるべき新しいｅＮＢタグ７２８を生成し得、このことは、ＧＡＣＫ７２４が受信され、誤り検出テスト７２６にパスしたことをＵＥ７０８に示すことになる。
【００７１】
[0084]ステップ１０２６において、ｅＮＢは、ＵＥに、第２の複数のサブフレーム中でデータ送信を送る。たとえば、図４Ａを参照すると、セル７０２中にあるｅＮＢ７０４は、１つまたは複数のフレーム７０６および／または７０６’内の複数のＤＬサブフレーム（たとえば、０、１、２、３、および／または４）中でデータ送信７１０の第１のセットをＵＥ７０８に送り得る。たとえば、１つまたは複数のフレーム７０６および／または７０６’は、ＬＴＥ−Ａ通信において使用される無線フレーム、またはＬＴＥ−Ｕ通信において使用されるＬＢＴフレームであり得る。
【００７２】
[0085]ステップ１０２８において、ｅＮＢは、第２の複数のサブフレーム中でＵＥに送られた各データ送信についてカウンタを増分する。たとえば、図４Ａを参照すると、ｅＮＢ７０４は、ＤＬサブフレーム中でＵＥ７０８に送られた各データ送信７１０についてカウンタ７１２を増分する。
【００７３】
[0086]ステップ１０３０において、ｅＮＢは、カウンタがしきい値に等しいかまたはそれよりも大きいとき、ＵＥに、第２のＧＡＣＫのための第２のトリガを送信する。第２のＧＡＣＫは第２のタグを含み得、第２のＧＡＣＫは、第２の複数のサブフレーム中でＵＥによって受信されたデータ送信に肯定応答し得る。たとえば、図４Ａを参照すると、ＧＡＣＫ７２４が誤り検出テスト７２６にパスした場合、ｅＮＢ７０４は、後続のトリガ中に含まれるべき新しいｅＮＢタグ７２８を生成し得、このことは、ＧＡＣＫ７２４が受信され、誤り検出テスト７２６にパスしたことをＵＥ７０８に示すことになる。
【００７４】
[0087]代替的に、第１のＧＡＣＫが誤り検出テストに失敗した場合、ステップ１０２２において、ｅＮＢは、受信された第１のＧＡＣＫが誤り検出テストにパスしなかったとき、ＵＥにＮＡＣＫを送信する。たとえば、図４Ａを参照すると、ｅＮＢ７０４は、ＧＡＣＫ７２４が受信されなかったか、または誤り検出テスト７２６に失敗したかのいずれかであるとき、ＵＥ７０８にＮＡＣＫを送信し得る。
【００７５】
[0088]ステップ１０３２において、ｅＮＢは、ＵＥに、第２のＧＡＣＫのための第２のトリガを送信する。たとえば、第２のトリガは第１のタグを含み得る。
【００７６】
[0089]ステップ１０３４において、ｅＮＢは、ＵＥから第２のＧＡＣＫを受信する。第２のＧＡＣＫは、第１の複数のダウンリンクサブフレームに関連するＡＣＫ／ＮＡＣＫの第１のグループと、第２の複数のダウンリンクサブフレームに関連するＡＣＫ／ＮＡＣＫの第２のグループとを含み得る。たとえば、図４Ａを参照すると、ＧＡＣＫ７２４がｅＮＢ７０４において受信されたとき、ｅＮＢ７０４は、ＰｅｎｄｉｎｇＡＣＫｓＴｉｌｌＴｒｉｇをクリアし、ｅＮＢＴａｇを（たとえば、「０」から「１」に）フリップし得る。ＧＡＣＫ７２４は、ＵＥ７０８によってバッファされたＡＣＫ／ＮＡＣＫの第１のグループ７１６および／またはＡＣＫ／ＮＡＣＫの第２のグループのうちの１つまたは複数を含み得る。
【００７７】
[0090]ステップ１０３６において、ｅＮＢは、受信された第１のＧＡＣＫが誤り検出テストに失敗したとき、第２のＧＡＣＫのための第２のトリガを送ることを控える。たとえば、図４Ａを参照すると、ｅＮＢ７０４は、ＵＥ７０８がトリガ７１８を受信しなかったかどうか、またはＣＲＣが失敗し、したがってＵＥ７０８がＧＡＣＫ７２４を送信しなかったかどうかを決定できないことがある。ｅＮＢ７０４は、次にトリガ７１８を繰り返し得るか、またはｅＮＢ７０４は、繰返しＧＡＣＫトリガを送らないことを決定し得る。決定を行うために、ｅＮＢ７０４は、この混乱に対処するために（たとえば、ＲＬＣサブレイヤからの）復元論理を必要とし得る。
【００７８】
[0091]ステップ１０１２において、第１のＧＡＣＫが受信されないと決定された場合、図７Ｃに示されているように、ステップ１０３８において、ｅＮＢは、ＵＥからの第１のＧＡＣＫが受信されないとき、ＵＥに、第２のＧＡＣＫのための第２のトリガを送信する。ここで、第２のトリガは第１のタグを含む。たとえば、図４Ａを参照すると、ｅＮＢ７０４がＵＥ７０８から第１のＧＡＣＫを受信しない場合、ｅＮＢ７０４は、次にトリガ７１８を繰り返し得るか、またはｅＮＢ７０４は、繰返しＧＡＣＫトリガを送らないことを決定し得る。決定を行うために、ｅＮＢ７０４は、この混乱に対処するために（たとえば、ＲＬＣサブレイヤからの）復元論理を必要とし得る。
【００７９】
[0092]ステップ１０４０において、ｅＮＢは、ＵＥから第２のＧＡＣＫを受信する。第２のＧＡＣＫは、第１の複数のサブフレームに関連するＡＣＫ／ＮＡＣＫの第１のグループと、第２の複数のサブフレームに関連するＡＣＫ／ＮＡＣＫの第２のグループとを含み得る。たとえば、図４Ａを参照すると、ＧＡＣＫ７２４がｅＮＢ７０４において受信されたとき、ｅＮＢ７０４は、ＰｅｎｄｉｎｇＡＣＫｓＴｉｌｌＴｒｉｇをクリアし、ｅＮＢＴａｇを（たとえば、「０」から「１」に）フリップし得る。ＧＡＣＫ７２４は、ＵＥ７０８によってバッファされたＡＣＫ／ＮＡＣＫの第１のグループ７１６および／またはＡＣＫ／ＮＡＣＫの第２のグループのうちの１つまたは複数を含み得る。
【００８０】
[0093]ステップ１０４２において、ｅＮＢは、第１のＧＡＣＫが受信されないとき、第２のＧＡＣＫのための第２のトリガを送ることを控える。たとえば、図４Ａを参照すると、ｅＮＢ７０４がＵＥ７０８から第１のＧＡＣＫを受信しない場合、ｅＮＢ７０４は、次にトリガ７１８を繰り返し得るか、またはｅＮＢ７０４は、繰返しＧＡＣＫトリガを送らないことを決定し得る。決定を行うために、ｅＮＢ７０４は、この混乱に対処するために（たとえば、ＲＬＣサブレイヤからの）復元論理を必要とし得る。
【００８１】
[0094]図８は、様々な態様による、ワイヤレス通信の方法のフローチャート１１００である。本方法は、ＵＥ７０８など、ＵＥ／移動局によって実行され得る。破線で示される動作が、本開示の様々な態様のための随意の動作を表すことを理解されたい。
【００８２】
[0095]ステップ１１０２において、ＵＥは、基地局から第１の複数のダウンリンクサブフレーム中で受信されたデータ送信の第１のグループに対応するＡＣＫ／ＮＡＣＫの第１のグループを記憶する。たとえば、図４Ａを参照すると、ＵＥ７０８は、ｅＮＢ７０４からのデータ送信７１０のためのＡＣＫ／ＮＡＣＫの第１のグループ７１６をバッファし得る。
【００８３】
[0096]ステップ１１０４において、ＵＥは、基地局から、第１のグループＧＡＣＫを送るための第１のトリガを受信する。第１のトリガは第１のタグを含み得る。たとえば、図４Ａを参照すると、ｅＮＢ７０４は、トリガ７１８をＵＥ７０８に送信する。一態様では、トリガ７１８は、ＵＥ７０８によってバッファされたＡＣＫ／ＮＡＣＫの第１のグループ７１６を含むグループＧＡＣＫ７２４のためのものである。一態様では、ＧＡＣＫ７２４のためのトリガ７１８は、ｅＮＢタグを含み、トリガ７１８は、あらかじめ決定されたＤＬサブフレーム（たとえば、ＰＤＣＣＨサブフレーム）中でＵＥ７０８によって受信され得る。ｅＮＢタグは値（たとえば、「０」または「１」）を含み得る。
【００８４】
[0097]ステップ１１０６において、ＵＥは、第１のタグがＵＥタグに対応しないとき、基地局に、ＡＣＫ／ＮＡＣＫの第１のグループを少なくとも含む第１のＧＡＣＫを送信する。第１のＧＡＣＫは巡回冗長検査を含み得る。
【００８５】
[0098] ステップ１１０８において、ＵＥは、第１のタグに対応するようにＵＥタグを修正する。たとえば、図４Ａを参照すると、ＵＥ７０８は、トリガ７１８がＵＥ７０８によって受信されたとき、ＵＥ７０８によってバッファされたＡＣＫ／ＮＡＣＫの第１のグループ７１６および／またはＡＣＫ／ＮＡＣＫの第２のグループのうちの１つまたは複数を含み得るＧＡＣＫ７２４を送信し得る。
【００８６】
[0099]ステップ１１１０において、ＵＥは、基地局から、第２のＧＡＣＫのための第２のトリガを受信する。第２のトリガは第２のタグを含み得る。たとえば、図４Ａを参照すると、ＧＡＣＫ７２４が誤り検出テスト７２６にパスした場合、ｅＮＢ７０４は、後続のトリガ中に含まれるべき新しいｅＮＢタグ７２８を生成し得、このことは、ＧＡＣＫ７２４が受信され、誤り検出テスト７２６にパスしたことをＵＥ７０８に示すことになる。
【００８７】
[00100]ステップ１１１２において、ＵＥは、第２のタグがＵＥビットタグに一致するかどうかを決定する。第２のタグがＵＥビットタグに一致する場合、本方法はステップ１１１８に移動する。代替的に、第２のタグがＵＥビットタグに一致しない場合、本方法はステップ１１１４に移動する。
【００８８】
[00101]たとえば、第２のタグがＵＥビットタグに一致しない場合、ステップ１１１４において、ＵＥは、第２のタグがＵＥビットタグに一致しないとき、基地局に、ＡＣＫ／ＮＡＣＫの第２のグループを含む第２のＧＡＣＫを送信する。たとえば、図４Ａを参照すると、ＵＥ７０８は、トリガ７１８がＵＥ７０８によって受信されたとき、ＵＥ７０８によってバッファされたＡＣＫ／ＮＡＣＫの第１のグループ７１６および／またはＡＣＫ／ＮＡＣＫの第２のグループのうちの１つまたは複数を含むことができるＧＡＣＫ７２４を送信し得る。
【００８９】
[00102]ステップ１１１６において、ＵＥは、第２のトリガが受信されたとき、ＡＣＫ／ＮＡＣＫの第１のグループをクリアする。たとえば、図４Ａを参照すると、第２のトリガが、「１」の修正されたｅＮＢタグ値を含み、ＵＥが、ＵＥタグが、「１」のｅＮＢタグ値に対応しない「０」の値を有すると決定すると仮定する。このことは、第１のＧＡＣＫが受信され、誤り検出テストにパスしたことをＵＥに示す。したがって、ＵＥは、場合によっては、ＰｅｎｄｉｎｇＵＥＡＣＫをクリアし得る。
【００９０】
[00103]代替的に、第２のタグがＵＥビットタグに一致する場合、ステップ１１１８において、ＵＥは、第２のタグがＵＥビットタグに一致するとき、第２のＧＡＣＫを送信することを控える。たとえば、図４Ａを参照すると、ＵＥ７０８は、ＡＣＫ／ＮＡＣＫのバッファされたグループ７１６を第１のメモリロケーションから第２のメモリロケーションに移動し得る。このようにして、ＧＡＣＫ７２４が、適切に受信されず、および／または誤り検出テスト７２６に失敗した場合、ＵＥ７０８は、ＡＣＫ／ＮＡＣＫの第２のグループとともに次のＧＡＣＫ７２４中でＡＣＫ／ＮＡＣＫのこの第１のグループ７１６を再送信し得る。
【００９１】
[00104]図９は、様々な態様による、ワイヤレス通信の方法のフローチャート１２００である。本方法は、ＵＥ７０８など、ＵＥ／移動局によって実行され得る。
【００９２】
[00105]ステップ１２０２において、ＵＥは、ＧＡＣＫ、ＲＩ、およびＣＳＩを含むＵＣＩを生成する。たとえば、図４Ａを参照すると、ＵＥ７０８からのＡ−ＣＳＩ送信の場合、完全なペイロードは、ＲＩビット、ＣＱＩビット、および／またはＰＭＩビットを含み得る。ｅＰＵＳＣＨ中での送信の場合、ＧＡＣＫ、ＲＩ、およびＡ−ＣＳＩは、別々にコーディングおよび多重化され得る。ここで、バースト的干渉に対するダイバーシティを増加させるために、リソース要素割振りが変わり得る。たとえば、時間ダイバーシティを取得するために、異なるＡＣＫ／ＮＡＣＫマッピングが使用され得る。ヌルＴＢ割当てを実行する方法は、スケジュールされるＲＢの数における制限を変えるためのものであり得る。インターレースベースＬＴＥ−Ｕの場合、ＲＢの最小数は１０であり得る。したがって、インターレースの数が１または１０ＲＢである場合、ヌルＴＢサイズがシグナリングされ得る。
【００９３】
[00106]ステップ１２０４において、ＵＥは、ＬＢＴサブフレーム中でＵＣＩ送信を送る。ＵＣＩ送信がＧＡＣＫ送信であるとき、ＵＥによって送られるＵＣＩ送信のペイロードは、ＨＡＲＱプロセスの数と、コードワードの数とを含み得る。ＵＣＩ送信がＣＳＩ送信であるとき、ＵＥによって送られるＵＣＩ送信のペイロードは、２つまたはそれ以上のジョイントコーディングされたＲＩビット、ＣＱＩビット、およびＰＭＩビットを含み得る。たとえば、図４Ａを参照すると、ＵＥ７０８からのＡ−ＣＳＩ送信の場合、完全なペイロードは、ＲＩビット、ＣＱＩビット、および／またはＰＭＩビットを含み得る。ｅＰＵＳＣＨ中での送信の場合、ＧＡＣＫ、ＲＩ、およびＡ−ＣＳＩは、別々にコーディングおよび多重化され得る。ここで、バースト的干渉に対するダイバーシティを増加させるために、リソース要素割振りが変わり得る。たとえば、時間ダイバーシティを取得するために、異なるＡＣＫ／ＮＡＫマッピングが使用され得る。ヌルＴＢ割当てを実行する方法は、スケジュールされるＲＢの数における制限を変えるためのものであり得る。インターレースベースＬＴＥ−Ｕの場合、ＲＢの最小数は１０である。したがって、インターレースの数が１（たとえば、１０ＲＢ）である場合、ヌルＴＢサイズがシグナリングされる。
【００９４】
[00107]図１０は、様々な態様による、ワイヤレス通信の方法のフローチャート１３００である。本方法は、ＵＥ７０８など、ＵＥ／移動局によって実行され得る。破線で示される動作が、本開示の様々な態様のための随意の動作を表すことを理解されたい。
【００９５】
[00108]ステップ１３０２において、ＵＥは、ＬＢＴフレーム中で、ＵＣＩのためのトリガを受信する。たとえば、図４Ａを参照すると、ｅＮＢ７０４は、トリガ７１８をＵＥ７０８に送信する。一態様では、トリガ７１８はＵＣＩのためのものであり得る。
【００９６】
[00109]ステップ１３０４において、ＵＥは、ＰＵＣＣＨ上でＵＣＩ送信を送る。ＵＥによって送られるＵＣＩ送信のペイロードは、２つまたはそれ以上のジョイントコーディングされたＧＡＣＫビット、ＣＳＩビット、ＲＩビット、ＣＱＩビット、およびＰＭＩビットを含み得る。たとえば、図４Ａを参照すると、ＵＥ７０８からのＡ−ＣＳＩ送信の場合、完全なペイロードは、ＲＩビット、ＣＱＩビット、および／またはＰＭＩビットを含み得る。ｅＰＵＳＣＨ中での送信の場合、ＧＡＣＫ、ＲＩ、およびＡ−ＣＳＩは、別々にコーディングおよび多重化され得る。ここで、バースト的干渉に対するダイバーシティを増加させるために、リソース要素割振りが変わり得る。たとえば、時間ダイバーシティを取得するために、異なるＡＣＫ／ＮＡＫマッピングが使用され得る。ヌルＴＢ割当てを実行する方法は、スケジュールされるＲＢの数における制限を変えるためのものであり得る。インターレースベースＬＴＥ−Ｕの場合、ＲＢの最小数は１０であり得る。したがって、インターレースの数が１（たとえば、１０ＲＢ）である場合、ヌルＴＢサイズがシグナリングされ得る。
【００９７】
[00110]図１１は、例示的な装置１４０２中の異なる手段／構成要素間のデータフローを示す概念データフロー図１４００である。本装置はｅＮＢを含み得る。本装置は、ＵＥ１４５０からＵＬデータ送信、第１のＧＡＣＫ、および／または第２のＧＡＣＫを受信し得る受信構成要素１４０４を含む。一態様では、受信された第１のＧＡＣＫは、第１の複数のダウンリンクサブフレームに関連するＡＣＫ／ＮＡＣＫの第１のグループを含み得る。第２の態様では、第２のＧＡＣＫは、第１の複数のダウンリンクサブフレームに関連するＡＣＫ／ＮＡＣＫの第１のグループと、第２の複数のダウンリンクサブフレームに関連するＡＣＫ／ＮＡＣＫの第２のグループとを含み得る。受信構成要素１４０４は、ＤＬデータ送信に関連する信号１４２０を監視構成要素１４０６に送り得る。
【００９８】
[00111]監視構成要素１４０６は、送信構成要素１４１８によって送信されているＧＡＣＫトリガと、ＵＥ１４５０から受信されたＵＬ送信とに基づいて、ＵＥ１４５０からの第１のＧＡＣＫについて後続のサブフレームを監視し得る。第１のＧＡＣＫが後続のサブフレーム中で受信されない場合、監視構成要素１４０６は、信号１４３０を抑制構成要素（refraining component）１４１６に送り得る。ＧＡＣＫが後続のサブフレーム中で受信された場合、監視構成要素１４０６は、信号１４２２を誤り検出構成要素１４０８に送り得る。
【００９９】
[00112]誤り検出構成要素１４０８は、受信された第１のＧＡＣＫに対して誤り検出テストを実行し得る。ＧＡＣＫが誤り検出テストにパスしなかった場合、誤り検出構成要素１４０８は、信号１４３２を抑制構成要素１４１６に送り得る。抑制構成要素１４１６は、受信された第１のＧＡＣＫが誤り検出テストに失敗したとき、第２のＧＡＣＫのための第２のトリガを送ることを控えるように送信構成要素１４１８に命令する信号１４３４を送り得る。たとえば、第２のトリガは第１のタグを含み得る。さらに、信号１４３４は、第１のＧＡＣＫが受信されないとき、第２のＧＡＣＫのための第２のトリガを送ることを控えるように抑制構成要素１４１８に命令し得る。たとえば、第２のトリガは第１のタグを含み得る。ＧＡＣＫが誤り検出テストにパスしたとき、信号１４２４が誤り検出構成要素１４０８から生成構成要素１４１０に送られ得る。生成構成要素１４１０は、受信された第１のＧＡＣＫが誤り検出テストにパスしたとき、第２のタグを生成し得る。第２のタグに関係する情報を含む信号１４３６が、後続のＧＡＣＫトリガ中に含めるために送信構成要素１４１８に送られ得る。
【０１００】
[00113]送信構成要素１４１８は、ＵＥ１４５０に、第１の複数のダウンリンクサブフレームに関連するデータ送信を送り、カウンタがしきい値よりも大きいかまたはそれに等しいとき、第１のＧＡＣＫのための第１のトリガを送り、受信された第１のＧＡＣＫが誤り検出テストにパスしたとき、ＡＣＫを送り、受信された第１のＧＡＣＫが誤り検出テストにパスしなかったとき、ＮＡＣＫを送り、第２の複数のサブフレーム中でデータ送信を送り、カウンタがしきい値に等しいかまたはそれよりも大きいとき、第２のＧＡＣＫのための第２のトリガを送り、受信された第１のＧＡＣＫが誤り検出テストに失敗したとき、第２のＧＡＣＫのための第２のトリガを送り、および／あるいはＵＥ１４５０からの第１のＧＡＣＫが受信されないとき、第２のＧＡＣＫのための第２のトリガを送り得る。たとえば、送信構成要素１４１８によって送られた第１のトリガは、第１のタグを含み得、第１のＧＡＣＫは、ＵＥによって受信されたデータ送信の肯定応答である。別の例では、送信構成要素１４１８によって送られた第２のトリガは、第２のタグを含み得、第２のＧＡＣＫは、第２の複数のサブフレーム中でＵＥによって受信されたデータ送信に肯定応答する。さらなる一例では、送信構成要素１４１８によって送られた第２のトリガは、第１のタグを含み得る。
【０１０１】
[00114]ＵＥ１４５０に送られた各ＤＬデータ送信に関して、送信構成要素１４１８は、信号１４２８を増分構成要素１４１４に送り得る。増分構成要素１４１４は、ＵＥ１４５０に送られた第１の複数のダウンリンクサブフレームに関連する各データ送信についてカウンタを増分し、第２の複数のサブフレーム中でＵＥ１４５０に送られた各データ送信についてカウンタを増分し得る。ＧＡＣＫトリガがＵＥ１４５０に送られたとき、信号１４２６が、リセット構成要素１４１２に送られ得る。リセット構成要素１４１２は、第１のトリガが送信されるとき、カウンタをリセットし得る。
【０１０２】
[00115]本装置は、図７Ａ〜図７Ｃの上述のフローチャート中のアルゴリズムのブロックの各々を実行する追加の構成要素を含み得る。したがって、図７Ａ〜図７Ｃの上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０３】
[00116]図１２は、処理システム１５１４を採用する装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェア構成要素と、構成要素１４０４、１４０６、１４０８、１４１０、１４１２、１４１４、１４１６、および１４１８と、コンピュータ可読媒体／メモリ１５０６とを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明されない。
【０１０４】
[00117]処理システム１５１４はトランシーバ１５１０に結合され得る。トランシーバ１５１０は１つまたは複数のアンテナ１５２０に結合される。トランシーバ１５１０は、伝送媒体を介して様々な他の装置と通信するための手段を与える。トランシーバ１５１０は、１つまたは複数のアンテナ１５２０から信号を受信し、受信された信号から情報を抽出し、抽出された情報を処理システム１５１４、特に受信構成要素１４０４に与える。さらに、トランシーバ１５１０は、処理システム１５１４、特に送信構成要素１４１８から情報を受信し、受信された情報に基づいて、１つまたは複数のアンテナ１５２０に適用されるべき信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む一般的な処理を担当する。ソフトウェアは、プロセッサ１５０４によって実行されたとき、処理システム１５１４に、特定の装置のための上記で説明された様々な機能を実行させる。コンピュータ可読媒体／メモリ１５０６はまた、ソフトウェアを実行するときにプロセッサ１５０４によって操作されるデータを記憶するために使用され得る。処理システム１５１４は、構成要素１４０４、１４０６、１４０８、１４１０、１４１２、１４１４、１４１６、および１４１８のうちの少なくとも１つをさらに含む。それらの構成要素は、プロセッサ１５０４中で動作し、コンピュータ可読媒体／メモリ１５０６中に常駐する／記憶されたソフトウェア構成要素であるか、プロセッサ１５０４に結合された１つまたは複数のハードウェア構成要素であるか、またはそれらの何らかの組合せであり得る。処理システム１５１４は、ｅＮＢ３１０の構成要素であり得、メモリ３７６、および／またはＴＸプロセッサ３１６と、ＲＸプロセッサ３７０と、コントローラ／プロセッサ３７５とのうちの少なくとも１つを含み得る。
【０１０５】
[00118]一構成では、ワイヤレス通信のための装置１４０２／１４０２’は、第１の複数のダウンリンクサブフレームに関連するデータ送信をＵＥに送るための手段を含む。別の態様では、ワイヤレス通信のための装置１４０２／１４０２’は、ＵＥに送られた第１の複数のダウンリンクサブフレームに関連する各データ送信についてカウンタを増分するための手段を含む。さらなる態様では、ワイヤレス通信のための装置１４０２／１４０２’は、カウンタがしきい値よりも大きいかまたはそれに等しいとき、ＵＥに、第１のＧＡＣＫのための第１のトリガを送信するための手段を含む。たとえば、第１のトリガは第１のタグを含み得、第１のＧＡＣＫは、ＵＥによって受信されたデータ送信の肯定応答である。またさらに、ワイヤレス通信のための装置１４０２／１４０２’は、第１のトリガが送信されるとき、カウンタをリセットするための手段をさらに含み得る。さらに、装置１４０２／１４０２’は、ＵＥからの第１のＧＡＣＫについて後続のサブフレームを監視するための手段を含み得る。その上、ワイヤレス通信のための装置１４０２／１４０２’は、ＵＥから第１のＧＡＣＫを受信するための手段を含み得る。たとえば、受信された第１のＧＡＣＫは、第１の複数のダウンリンクサブフレームに関連するＡＣＫ／ＮＡＣＫの第１のグループを含み得る。さらに、ワイヤレス通信のための装置１４０２／１４０２’は、受信された第１のＧＡＣＫに対して誤り検出テストを実行するための手段を含み得る。さらに、ワイヤレス通信のための装置１４０２／１４０２’は、受信された第１のＧＡＣＫが誤り検出テストにパスしたとき、ＵＥにＡＣＫを送信するための手段を含み得る。また別の態様では、ワイヤレス通信のための装置１４０２／１４０２’は、受信された第１のＧＡＣＫが誤り検出テストにパスしなかったとき、ＵＥにＮＡＣＫを送信するための手段を含み得る。さらなる態様では、ワイヤレス通信のための装置１４０２／１４０２’は、受信された第１のＧＡＣＫが誤り検出テストにパスしたとき、第２のタグを生成するための手段を含み得る。別の態様では、ワイヤレス通信のための装置１４０２／１４０２’は、ＵＥに、第２の複数のサブフレーム中でデータ送信を送るための手段を含み得る。さらに別の態様では、ワイヤレス通信のための装置１４０２／１４０２’は、第２の複数のサブフレーム中でＵＥに送られた各データ送信についてカウンタを増分するための手段を含み得る。その上、ワイヤレス通信のための装置１４０２／１４０２’は、カウンタがしきい値に等しいかまたはそれよりも大きいとき、ＵＥに、第２のＧＡＣＫのための第２のトリガを送信するための手段を含み得る。たとえば、第２のトリガは第２のタグを含み得、第２のＧＡＣＫは、第２の複数のサブフレーム中でＵＥによって受信されたデータ送信に肯定応答する。またさらに、ワイヤレス通信のための装置１４０２／１４０２’は、受信された第１のＧＡＣＫが誤り検出テストに失敗したとき、ＵＥに、第２のＧＡＣＫのための第２のトリガを送信するための手段を含み得る。たとえば、第２のトリガは第１のタグを含み得る。またさらなる態様では、ワイヤレス通信のための装置１４０２／１４０２’は、ＵＥから��２のＧＡＣＫを受信するための手段を含み得る。たとえば、第２のＧＡＣＫは、第１の複数のダウンリンクサブフレームに関連するＡＣＫ／ＮＡＣＫの第１のグループと、第２の複数のダウンリンクサブフレームに関連するＡＣＫ／ＮＡＣＫの第２のグループとを含み得る。またさらに、ワイヤレス通信のための装置１４０２／１４０２’は、受信された第１のＧＡＣＫが誤り検出テストに失敗したとき、第２のＧＡＣＫのための第２のトリガを送ることを控えるための手段を含み得る。たとえば、第２のトリガは第１のタグを含み得る。さらに、ワイヤレス通信のための装置１４０２／１４０２’は、ＵＥからの第１のＧＡＣＫが受信されないとき、ＵＥに、第２のＧＡＣＫのための第２のトリガを送信するための手段を含み得る。たとえば、第２のトリガは第１のタグを含む。またさらに、ワイヤレス通信のための装置１４０２／１４０２’は、第１のＧＡＣＫが受信されないとき、第２のＧＡＣＫのための第２のトリガを送ることを控えるための手段を含み得る。たとえば、第２のトリガは第１のタグを含む。上述の手段は、上述の手段によって具陳された機能を実行するように構成された、装置１４０２、および／または装置１４０２’の処理システム１５１４の上述の構成要素のうちの１つまたは複数であり得る。上記で説明されたように、処理システム１５１４は、ＴＸプロセッサ３１６と、ＲＸプロセッサ３７０と、コントローラ／プロセッサ３７５とを含み得る。したがって、一構成では、上述の手段は、上述の手段によって具陳された機能を実行するように構成されたＴＸプロセッサ３１６と、ＲＸプロセッサ３７０と、コントローラ／プロセッサ３７５とであり得る。
【０１０６】
[00119]開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【０１０７】
[00120]図１３は、例示的な装置１６０２中の異なる手段／構成要素間のデータフローを示す概念データフロー図１６００である。本装置はＵＥを含み得る。本装置は、ｅＮＢ１６５０から、ＬＢＴフレーム中で１つまたは複数のＤＬデータ送信、第１のＧＡＣＫを送るための第１のトリガ、第２のＧＡＣＫのための第２のトリガ、および／またはＵＣＩのためのトリガを受信する受信構成要素１６０４を含む。一態様では、第１のトリガは第１のタグを含み得る。別の態様では、第２のトリガは第２のタグを含み得る。
【０１０８】
[00121]受信構成要素１６０４は、ＤＬデータ送信に関係する信号１６１４を記憶構成要素１６０６に送り得る。記憶構成要素１６０６は、ｅＮＢ１６５０から第１の複数のダウンリンクサブフレーム中で受信されたデータ送信の第１のグループに対応するＡＣＫ／ＮＡＣＫの第１のグループを記憶し得る。受信構成要素１６０４は、また、ｅＮＢ１６５０からＧＡＣＫトリガ中で受信されたｅＮＢトリガタグに関係する情報を含む信号１６１６をクリア構成要素（clearing component）１６１０に送り得る。
【０１０９】
[00122]クリア構成要素１６１０は、第２のトリガが基地局１６５０から受信されたとき、ＡＣＫ／ＮＡＣＫの第１のグループをクリアし得る。ＧＡＣＫトリガが受信構成要素１６０４において受信されたとき、記憶構成要素１６０６に送られる信号１６１４は、ＧＡＣＫトリガに関係する情報を含み得、記憶構成要素１６０６は、信号１６１８を送信構成要素１６１２に送り得る。受信構成要素１６０４は、ＧＡＣＫトリガが受信されたとき、信号１６２０を修正構成要素１６０８に送り得る。修正構成要素１６０８は、第１のタグに対応するようにＵＥタグを修正し、第１のタグに対応する修正済みＵＥタグに関連する送信構成要素１６１２への信号１６２２を送り得る。送信構成要素１６１２は、ｅＮＢ１６５０に、ＬＢＴサブフレーム中でのＵＣＩ送信、ＰＵＣＣＨ上でのＵＣＩ送信、第１のタグがＵＥタグに対応しないときのＡＣＫ／ＮＡＣＫの第１のグループを少なくとも含む第１のＧＡＣＫ、第２のタグがＵＥビットタグに一致しないときのＡＣＫ／ＮＡＣＫの第２のグループを含む第２のＧＡＣＫ、ならびに／または第１のタグがＵＥタグに等しいときのＡＣＫ／ＮＡＣＫの第１のグループおよびＡＣＫ／ＮＡＣＫの第２のグループのうちの１つまたは複数、のうちの１つまたは複数を送り得る。さらに、ＡＣＫ／ＮＡＣＫの第１のグループおよびＡＣＫ／ＮＡＣＫの第２のグループが、同じＨＡＲＱプロセスに対応する場合、送信構成要素１６１２は、第１のＧＡＣＫ中でＡＣＫ／ＮＡＣＫの第１のグループを送信し得る。
【０１１０】
[00123]本装置は、図８〜図１０の上述のフローチャート中のアルゴリズムのブロックの各々を実行する追加の構成要素を含み得る。したがって、図８〜図１０の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１１】
[00124]図１４は、処理システム１７１４を採用する装置１６０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４によって表される１つまたは複数のプロセッサおよび／またはハードウェア構成要素と、構成要素１６０４、１６０６、１６０８、１６１０、および１６１２と、コンピュータ可読媒体／メモリ１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明されない。
【０１１２】
[00125]処理システム１７１４はトランシーバ１７１０に結合され得る。トランシーバ１７１０は１つまたは複数のアンテナ１７２０に結合される。トランシーバ１７１０は、伝送媒体を介して様々な他の装置と通信するための手段を与える。トランシーバ１７１０は、１つまたは複数のアンテナ１７２０から信号を受信し、受信された信号から情報を抽出し、抽出された情報を処理システム１７１４、特に受信構成要素１６０４に与える。さらに、トランシーバ１７１０は、処理システム１７１４、特に送信構成要素１６１２から情報を受信し、受信された情報に基づいて、１つまたは複数のアンテナ１７２０に適用されるべき信号を生成する。処理システム１７１４は、コンピュータ可読媒体／メモリ１７０６に結合されたプロセッサ１７０４を含む。プロセッサ１７０４は、コンピュータ可読媒体／メモリ１７０６に記憶されたソフトウェアの実行を含む一般的な処理を担当する。ソフトウェアは、プロセッサ１７０４によって実行されたとき、処理システム１７１４に、特定の装置のための上記で説明された様々な機能を実行させる。コンピュータ可読媒体／メモリ１７０６はまた、ソフトウェアを実行するときにプロセッサ１７０４によって操作されるデータを記憶するために使用され得る。処理システム１７１４は、構成要素１６０４、１６０６、１６０８、１６１０、および１６１２のうちの少なくとも１つをさらに含む。それらの構成要素は、プロセッサ１７０４中で動作し、コンピュータ可読媒体／メモリ１７０６中に常駐する／記憶されたソフトウェア構成要素であるか、プロセッサ１７０４に結合された１つまたは複数のハードウェア構成要素であるか、またはそれらの何らかの組合せであり得る。処理システム１７１４は、ＵＥ３５０の構成要素であり得、メモリ３６０、および／またはＴＸプロセッサ３６８と、ＲＸプロセッサ３５６と、コントローラ／プロセッサ３５９とのうちの少なくとも１つを含み得る。
【０１１３】
[00126]一構成では、ワイヤレス通信のための装置１６０２／１６０２’は、基地局から第１の複数のダウンリンクサブフレーム中で受信されたデータ送信の第１のグループに対応するＡＣＫ／ＮＡＣＫの第１のグループを記憶するための手段を含む。一態様では、ワイヤレス通信のための装置１６０２／１６０２’は、基地局から、第１のＧＡＣＫを送るための第１のトリガを受信するための手段を含む。たとえば、第１のトリガは第１のタグを含み得、第１のタグがＵＥタグに対応しないとき、基地局に、ＡＣＫ／ＮＡＣＫの第１のグループを少なくとも含む第１のＧＡＣＫを送信するための手段。別の態様では、ワイヤレス通信のための装置１６０２／１６０２’は、第１のＧＡＣＫが基地局に送信されるとき、第１のタグに対応するようにＵＥタグを修正するための手段、基地局から、第２のＧＡＣＫのための第２のトリガを受信するための手段を含み得る。たとえば、第２のトリガは第２のタグを含み得る。さらなる態様では、ワイヤレス通信のための装置１６０２／１６０２’は、第２のタグがＵＥビットタグに一致しないとき、基地局に、ＡＣＫ／ＮＡＣＫの第２のグループを含む第２のＧＡＣＫを送信するための手段を含み得る。さらに依然として、ワイヤレス通信のための装置１６０２／１６０２’は、第２のトリガが受信されたとき、ＡＣＫ／ＮＡＣＫの第１のグループをクリアするための手段を含み得る。さらに、ワイヤレス通信のための装置１６０２／１６０２’は、第１のタグがＵＥタグに等しいとき、基地局に、ＡＣＫ／ＮＡＣＫの第１のグループとＡＣＫ／ＮＡＣＫの第２のグループとのうちの１つまたは複数を送信するための手段を含み得る。その上、ワイヤレス通信のための装置１６０２／１６０２’は、ＡＣＫ／ＮＡＣＫの第１のグループおよびＡＣＫ／ＮＡＣＫの第２のグループが、同じＨＡＲＱプロセスに対応する場合、第１のＧＡＣＫ中でＡＣＫ／ＮＡＣＫの第１のグループを送信するための手段を含み得る。また別の態様では、ワイヤレス通信のための装置１６０２／１６０２’は、ＬＢＴサブフレーム中でＵＣＩ送信を送るための手段を含み得る。たとえば、ＵＣＩ送信がＧＡＣＫ送信であるとき、ＵＣＩ送信のペイロードは、ＨＡＲＱプロセスの数と、コードワードの数とを含み得る。別の例では、ＵＣＩ送信がＣＳＩ送信であるとき、ＵＣＩ送信のペイロードは、２つまたはそれ以上のジョイントコーディングされたＲＩビット、ＣＱＩビット、およびＰＭＩビットを含み得る。一態様では、ワイヤレス通信のための装置１６０２／１６０２’は、ＰＵＣＣＨ上でＵＣＩ送信を送るための手段を含み得る。たとえば、ＵＣＩ送信のペイロードは、２つまたはそれ以上のジョイントコーディングされたＧＡＣＫビット、ＣＳＩビット、ＲＩビット、ＣＱＩビット、およびＰＭＩビットを含む。一態様では、ワイヤレス通信のための装置１６０２／１６０２’は、ＵＣＩを生成するための手段を含み得、ＵＣＩは、ＧＡＣＫ、ＲＩ、およびＣＳＩ送信を含む。またさらなる態様では、ワイヤレス通信のための装置１６０２／１６０２’は、ＬＢＴサブフレーム中でＵＣＩ送信を送るための手段を含み得る。上述の手段は、上述の手段によって具陳された機能を実行するように構成された��装置１６０２、および／または装置１６０２’の処理システム１７１４の上述の構成要素のうちの１つまたは複数であり得る。上記で説明されたように、処理システム１７１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成されたＴＸプロセッサ３６８と、ＲＸプロセッサ３５６と、コントローラ／プロセッサ３５９とであり得る。
【０１１４】
[00127]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に、本願の出願当初の特許請求の範囲に記載された発明を付記する。
［Ｃ１］
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のＧＡＣＫが、前記ＵＥによって受信された前記データ送信の肯定応答である、
を備える、ワイヤレス通信の方法。
［Ｃ２］
前記第１のトリガが送信されるとき、前記カウンタをリセットすること
をさらに備える、Ｃ１に記載の方法。
［Ｃ３］
前記ＵＥからの前記第１のＧＡＣＫについて後続のサブフレームを監視すること
をさらに備える、Ｃ２に記載の方法。
［Ｃ４］
前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行することと
をさらに備える、Ｃ３に記載の方法。
［Ｃ５］
前記受信された第１のＧＡＣＫが前記誤り検出テストにパスしたとき、前記ＵＥに肯定応答（ＡＣＫ）を送信することと、
前記受信された第１のＧＡＣＫが前記誤り検出テストにパスしなかったとき、前記ＵＥに否定応答（ＮＡＣＫ）を送信することと
をさらに備える、Ｃ４に記載の方法。
［Ｃ６］
前記受信された第１のＧＡＣＫが前記誤り検出テストにパスしたとき、前記方法が、  第２のタグを生成すること
をさらに備える、Ｃ４に記載の方法。
［Ｃ７］
前記ＵＥに、第２の複数のサブフレーム中でデータ送信を送ることと、
前記第２の複数のサブフレーム中で前記ＵＥに送られた各データ送信について前記カウンタを増分することと、
前記カウンタが前記しきい値に等しいかまたはそれよりも大きいとき、前記ＵＥに、第２のＧＡＣＫのための第２のトリガを送信することと、ここにおいて、前記第２のトリガが前記第２のタグを備え、前記第２のＧＡＣＫが、前記第２の複数のサブフレーム中で前記ＵＥによって受信された前記データ送信に肯定応答する、
をさらに備える、Ｃ６に記載の方法。
［Ｃ８］
前記受信された第１のＧＡＣＫが前記誤り検出テストに失敗したとき、前記方法は、  前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、Ｃ４に記載の方法。
［Ｃ９］
前記受信された第１のＧＡＣＫが前記誤り検出テストに失敗したとき、第２のＧＡＣＫのための第２のトリガを送ることを控えること、ここにおいて、前記第２のトリガが前記第１のタグを備える、
をさらに備える、Ｃ４に記載の方法。
［Ｃ１０］
前記ＵＥからの前記第１のＧＡＣＫが受信されないとき、前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、Ｃ４に記載の方法。
［Ｃ１１］
前記第１のＧＡＣＫが受信されないとき、第２のＧＡＣＫのための第２のトリガを送ることを控えること、ここにおいて、前記第２のトリガが前記第１のタグを備える、
をさらに備える、Ｃ３に記載の方法。
［Ｃ１２］
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグがユーザ機器（ＵＥ）タグに対応しないとき、前記基地局に、ＡＣＫ／ＮＡＣＫの前記第１のグループを少なくとも備える第１のＧＡＣＫを送信することと
を備える、ワイヤレス通信の方法。
［Ｃ１３］
前記第１のＧＡＣＫが前記基地局に送信されるとき、前記方法が、
前記第１のタグに対応するように前記ＵＥタグを修正すること
をさらに備える、Ｃ１２に記載の方法。
［Ｃ１４］
前記基地局から、第２のＧＡＣＫのための第２のトリガを受信することと、ここにおいて、前記第２のトリガが第２のタグを備える、
前記第２のタグが前記ＵＥタグに一致しないとき、前記基地局に、ＡＣＫ／ＮＡＣＫの第２のグループを含む第２のＧＡＣＫを送信することと
をさらに備える、Ｃ１３に記載の方法。
［Ｃ１５］
前記第２のトリガが受信されたとき、ＡＣＫ／ＮＡＣＫの前記第１のグループをクリアすること
をさらに備える、Ｃ１４に記載の方法。
［Ｃ１６］
前記第１のＧＡＣＫが巡回冗長検査を含む、Ｃ１２に記載の方法。
［Ｃ１７］
前記第１のＧＡＣＫを前記送信することは、前記第１のタグが前記ＵＥタグに等しいとき、前記基地局に、ＡＣＫ／ＮＡＣＫの前記第１のグループとＡＣＫ／ＮＡＣＫの第２のグループとのうちの１つまたは複数を送信することを含む、Ｃ１２に記載の方法。
［Ｃ１８］
ＡＣＫ／ＮＡＣＫの前記第２のグループが、第２の複数のダウンリンクサブフレーム中で受信されたデータ送信の第２のグループに対応し、ここにおいて、ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、ＡＣＫ／ＮＡＣＫの前記第１のグループのみが前記第１のＧＡＣＫ中で送信される、Ｃ１７に記載の方法。
［Ｃ１９］
アップリンク制御情報（ＵＣＩ）を生成することと、前記ＵＣＩが、グループ肯定応答／否定応答（ＧＡＣＫ）、ランクインジケータ（ＲＩ）、およびＣＳＩ送信を含む、
リッスンビフォアトークサブフレーム中でアップリンク制御情報（ＵＣＩ）送信を送ることと
を備え、
ここにおいて、前記ＵＣＩを前記生成することは、前記ＵＣＩ送信がｅＰＵＳＣＨ中で送られるとき、前記ＧＡＣＫ、ＲＩ、およびＣＳＩを別々にコーディングおよび多重化することを備え、
ここにおいて、前記ＵＣＩを前記生成することは、前記ＵＣＩ送信がｅＰＵＣＣＨ中で送られるとき、前記ＧＡＣＫ、ＲＩ、およびＣＳＩをジョイントコーディングすることを備える、
ワイヤレス通信の方法。
［Ｃ２０］
前記ＵＣＩを前記生成することは、前記ＵＣＩ送信が前記ｅＰＵＣＣＨ中で送られるとき、あらかじめ決定されたサイズに前記ＵＣＩをゼロパディングすることをさらに備える、Ｃ１９に記載の方法。
［Ｃ２１］
ユーザ機器（ＵＥ）に、第１の複数のダウンリンクサブフレームに関連するデータ送信を送るための手段と、
前記ＵＥに送られた前記第１の複数のダウンリンクサブフレームに関連する各データ送信についてカウンタを増分するための手段と、
前記カウンタがしきい値よりも大きいかまたはそれに等しいとき、前記ＵＥに、第１のグループ肯定応答／否定応答（ＧＡＣＫ）のための第１のトリガを送信するための手段と、ここにおいて、前記第１のトリガが第１のタグを備え、前記第１のＧＡＣＫが、前記ＵＥによって受信された前記データ送信の肯定応答である、
を備える、ワイヤレス通信のための装置。
［Ｃ２２］
前記第１のトリガが送信されるとき、前記カウンタをリセットするための手段
をさらに備える、Ｃ２１に記載の装置。
［Ｃ２３］
前記ＵＥからの前記第１のＧＡＣＫについて後続のサブフレームを監視するための手段をさらに備える、Ｃ２２に記載の装置。
［Ｃ２４］
前記ＵＥから前記第１のＧＡＣＫを受信するための手段と、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行するための手段と
をさらに備える、Ｃ２３に記載の装置。
［Ｃ２５］
前記受信された第１のＧＡＣＫが前記誤り検出テストにパスしたとき、前記ＵＥに肯定応答（ＡＣＫ）を送信するための手段と、
前記受信された第１のＧＡＣＫが前記誤り検出テストにパスしなかったとき、前記ＵＥに否定応答（ＮＡＣＫ）を送信するための手段と
をさらに備える、Ｃ２４に記載の装置。
［Ｃ２６］
前記受信された第１のＧＡＣＫが前記誤り検出テストにパスしたとき、前記方法が、  第２のタグを生成するための手段
をさらに備える、Ｃ２４に記載の装置。
［Ｃ２７］
前記ＵＥに、第２の複数のサブフレーム中でデータ送信を送るための手段と、
前記第２の複数のサブフレーム中で前記ＵＥに送られた各データ送信について前記カウンタを増分するための手段と、
前記カウンタが前記しきい値に等しいかまたはそれよりも大きいとき、前記ＵＥに、第２のＧＡＣＫのための第２のトリガを送信するための手段と、ここにおいて、前記第２のトリガが前記第２のタグを備え、前記第２のＧＡＣＫが、前記第２の複数のサブフレーム中で前記ＵＥによって受信された前記データ送信に肯定応答する、
をさらに備える、Ｃ２６に記載の装置。
［Ｃ２８］
前記受信された第１のＧＡＣＫが前記誤り検出テストに失敗したとき、前記方法は、  前記ＵＥに、第２のＧＡＣＫのための第２のトリガを送信するための手段と、ここにおいて、前記第２のトリガが前記第１のタグを備える、
前記ＵＥから前記第２のＧＡＣＫを受信するための手段と、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、Ｃ２４に記載の装置。
［Ｃ２９］
前記受信された第１のＧＡＣＫが前記誤り検出テストに失敗したとき、第２のＧＡＣＫのための第２のトリガを送ることを控えるための手段、ここにおいて、前記第２のトリガが前記第１のタグを備える、
をさらに備える、Ｃ２４に記載の装置。
［Ｃ３０］
前記ＵＥからの前記第１のＧＡＣＫが受信されないとき、前記ＵＥに、第２のＧＡＣＫのための第２のトリガを送信するための手段と、ここにおいて、前記第２のトリガが前記第１のタグを備える、
前記ＵＥから前記第２のＧＡＣＫを受信するための手段と、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、Ｃ２３に記載の装置。
［Ｃ３１］
前記第１のＧＡＣＫが受信されないとき、第２のＧＡＣＫのための第２のトリガを送ることを控えるための手段、ここにおいて、前記第２のトリガが前記第１のタグを備える、をさらに備える、Ｃ２３に記載の装置。
［Ｃ３２］
基地局から第１の複数のダウンリンクサブフレーム中で受信されたデータ送信の第１のグループに対応する肯定応答／否定応答（ＡＣＫ／ＮＡＣＫ）の第１のグループを記憶するための手段と、
前記基地局から、第１のグループ肯定応答／否定応答（ＧＡＣＫ）を送るための第１のトリガを受信するための手段と、ここにおいて、前記第１のトリガが第１のタグを備える、
前記第１のタグがユーザ機器（ＵＥ）タグに対応しないとき、前記基地局に、ＡＣＫ／ＮＡＣＫの前記第１のグループを少なくとも備える第１のＧＡＣＫを送信するための手段と
を備える、ワイヤレス通信のための装置。
［Ｃ３３］
前記第１のＧＡＣＫが前記基地局に送信されるとき、前記装置が、
前記第１のタグに対応するように前記ＵＥタグを修正するための手段
をさらに備える、Ｃ３２に記載の装置。
［Ｃ３４］
前記基地局から、第２のＧＡＣＫのための第２のトリガを受信するための手段と、ここにおいて、前記第２のトリガが第２のタグを備える、
前記第２のタグが前記ＵＥタグに一致しないとき、前記基地局に、ＡＣＫ／ＮＡＣＫの第２のグループを含む第２のＧＡＣＫを送信するための手段と
をさらに備える、Ｃ３３に記載の装置。
［Ｃ３５］
前記第２のトリガが受信されたとき、ＡＣＫ／ＮＡＣＫの前記第１のグループをクリアするための手段
をさらに備える、Ｃ３４に記載の装置。
［Ｃ３６］
前記第１のＧＡＣＫが巡回冗長検査を含む、Ｃ３２に記載の装置。
［Ｃ３７］
前記第１のＧＡＣＫを送信するための前記手段は、前記第１のタグが前記ＵＥタグに等しいとき、前記基地局に、ＡＣＫ／ＮＡＣＫの前記第１のグループとＡＣＫ／ＮＡＣＫの第２のグループとのうちの１つまたは複数を送信するための手段を含む、Ｃ３２に記載の装置。
［Ｃ３８］
ＡＣＫ／ＮＡＣＫの前記第２のグループが、第２の複数のダウンリンクサブフレーム中で受信されたデータ送信の第２のグループに対応し、ここにおいて、ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、前記装置が、ＡＣＫ／ＮＡＣＫの前記第１のグループのみを前記第１のＧＡＣＫ中で送信するための手段をさらに備える、Ｃ３７に記載の装置。
［Ｃ３９］
アップリンク制御情報（ＵＣＩ）を生成するための手段と、前記ＵＣＩが、グループ肯定応答／否定応答（ＧＡＣＫ）、ランクインジケータ（ＲＩ）、およびＣＳＩ送信を含む、
リッスンビフォアトークサブフレーム中でアップリンク制御情報（ＵＣＩ）送信を送るための手段と
を備え、
ここにおいて、前記ＵＣＩを生成するための前記手段は、前記ＵＣＩ送信がｅＰＵＳＣＨ中で送られるとき、前記ＧＡＣＫ、ＲＩ、およびＣＳＩを別々にコーディングおよび多重化するように構成され、
ここにおいて、前記ＵＣＩを生成するための前記手段は、前記ＵＣＩ送信がｅＰＵＣＣＨ中で送られるとき、前記ＧＡＣＫ、ＲＩ、およびＣＳＩをジョイントコーディングするように構成された、
を備える、ワイヤレス通信のための装置。
［Ｃ４０］
前記ＵＣＩを生成するための前記手段は、前記ＵＣＩ送信が前記ｅＰＵＣＣＨ中で送られるとき、あらかじめ決定されたサイズに前記ＵＣＩをゼロパディングするようにさらに構成された、Ｃ３９に記載の装置。
［Ｃ４１］
ワイヤレス通信のための装置であって、
メモリと、
前記メモリに結合された少なくとも１つのプロセッサと
を備え、前記少なくとも１つのプロセッサは、
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のＧＡＣＫが、前記ＵＥによって受信された前記データ送信の肯定応答である、
を行うように構成された、
装置。
［Ｃ４２］
前記少なくとも１つのプロセッサは、前記第１のトリガが送信されるとき、前記カウンタをリセットするようにさらに構成された、Ｃ４１に記載の装置。
［Ｃ４３］
前記少なくとも１つプロセッサが、前記ＵＥからの前記第１のＧＡＣＫについて後続のサブフレームを監視するようにさらに構成された、Ｃ４２に記載の装置。
［Ｃ４４］
前記少なくとも１つのプロセッサは、
前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行することと
を行うようにさらに構成された、Ｃ４３に記載の装置。
［Ｃ４５］
前記少なくとも１つのプロセッサは、
前記受信された第１のＧＡＣＫが前記誤り検出テストにパスしたとき、前記ＵＥに肯定応答（ＡＣＫ）を送信することと、
前記受信された第１のＧＡＣＫが前記誤り検出テストにパスしなかったとき、前記ＵＥに否定応答（ＮＡＣＫ）を送信することと
を行うようにさらに構成された、Ｃ４４に記載の装置。
［Ｃ４６］
前記少なくとも１つプロセッサは、前記受信された第１のＧＡＣＫが前記誤り検出テストにパスしたとき、第２のタグを生成するように構成された、Ｃ４４に記載の装置。
［Ｃ４７］
前記少なくとも１つのプロセッサは、
前記ＵＥに、第２の複数のサブフレーム中でデータ送信を送ることと、
前記第２の複数のサブフレーム中で前記ＵＥに送られた各データ送信について前記カウンタを増分することと、
前記カウンタが前記しきい値に等しいかまたはそれよりも大きいとき、前記ＵＥに、第２のＧＡＣＫのための第２のトリガを送信することと、ここにおいて、前記第２のトリガが前記第２のタグを備え、前記第２のＧＡＣＫが、前記第２の複数のサブフレーム中で前記ＵＥによって受信された前記データ送信に肯定応答する、
を行うようにさらに構成された、Ｃ４６に記載の装置。
［Ｃ４８］
前記受信された第１のＧＡＣＫが前記誤り検出テストに失敗したとき、前記少なくとも１つのプロセッサは、
前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
を行うように構成された、Ｃ４４に記載の装置。
［Ｃ４９］
前記少なくとも１つのプロセッサは、
前記受信された第１のＧＡＣＫが前記誤り検出テストに失敗したとき、第２のＧＡＣＫのための第２のトリガを送ることを控えること、ここにおいて、前記第２のトリガが前記第１のタグを備える、
を行うようにさらに構成された、Ｃ４４に記載の装置。
［Ｃ５０］
前記少なくとも１つのプロセッサは、
前記ＵＥからの前記第１のＧＡＣＫが受信されないとき、前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
を行うようにさらに構成された、Ｃ４３に記載の装置。
［Ｃ５１］
前記少なくとも１つのプロセッサは、
前記第１のＧＡＣＫが受信されないとき、第２のＧＡＣＫのための第２のトリガを送ることを控えること、ここにおいて、前記第２のトリガが前記第１のタグを備える、
を行うようにさらに構成された、Ｃ４３に記載の装置。
［Ｃ５２］
ワイヤレス通信のための装置であって、
メモリと、
前記メモリに結合された少なくとも１つのプロセッサと
を備え、前記少なくとも１つのプロセッサは、
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、    前記第１のタグがユーザ機器（ＵＥ）タグに対応しないとき、前記基地局に、ＡＣＫ／ＮＡＣＫの前記第１のグループを少なくとも備える第１のＧＡＣＫを送信することと  を行うように構成された、
装置。
［Ｃ５３］
前記第１のＧＡＣＫが前記基地局に送信されたとき、前記少なくとも１つのプロセッサが、
前記第１のタグに対応するように前記ＵＥタグを修正する
ように構成された、Ｃ５２に記載の装置。
［Ｃ５４］
前記少なくとも１つのプロセッサは、
前記基地局から、第２のＧＡＣＫのための第２のトリガを受信することと、ここにおいて、前記第２のトリガが第２のタグを備える、
前記第２のタグが前記ＵＥタグに一致しないとき、前記基地局に、ＡＣＫ／ＮＡＣＫの第２のグループを含む第２のＧＡＣＫを送信することと
を行うようにさらに構成された、Ｃ５３に記載の装置。
［Ｃ５５］
前記少なくとも１つのプロセッサは、
前記第２のトリガが受信されたとき、ＡＣＫ／ＮＡＣＫの前記第１のグループをクリアする
ようにさらに構成された、Ｃ５４に記載の装置。
［Ｃ５６］
前記第１のＧＡＣＫが巡回冗長検査を含む、Ｃ５２に記載の装置。
［Ｃ５７］
前記少なくとも１つのプロセッサは、前記第１のタグが前記ＵＥタグに等しいとき、前記基地局に、ＡＣＫ／ＮＡＣＫの前記第１のグループとＡＣＫ／ＮＡＣＫの第２のグループとのうちの１つまたは複数を送信することによって、前記第１のＧＡＣＫを送信するようにさらに構成された、Ｃ５２に記載の装置。
［Ｃ５８］
ＡＣＫ／ＮＡＣＫの前記第２のグループが、第２の複数のダウンリンクサブフレーム中で受信されたデータ送信の第２のグループに対応し、ここにおいて、ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、前記少なくとも１つのプロセッサは、ＡＣＫ／ＮＡＣＫの前記第１のグループのみを前記第１のＧＡＣＫ中でである送信するようにさらに構成された、Ｃ５７に記載の装置。
［Ｃ５９］
ワイヤレス通信のための装置であって、
メモリと、
前記メモリに結合された少なくとも１つのプロセッサと
を備え、前記少なくとも１つのプロセッサは、
アップリンク制御情報（ＵＣＩ）を生成することと、前記ＵＣＩが、グループ肯定応答／否定応答（ＧＡＣＫ）、ランクインジケータ（ＲＩ）、およびＣＳＩ送信を含む、    リッスンビフォアトークサブフレーム中でアップリンク制御情報（ＵＣＩ）送信を送ることと
を行うように構成され、
ここにおいて、前記少なくとも１つのプロセッサは、前記ＵＣＩ送信がｅＰＵＳＣＨ中で送られるとき、前記ＧＡＣＫ、ＲＩ、およびＣＳＩを別々にコーディングおよび多重化することによって、前記ＵＣＩを生成するように構成され、
ここにおいて、前記少なくとも１つのプロセッサは、前記ＵＣＩ送信がｅＰＵＣＣＨ中で送られるとき、前記ＧＡＣＫ、ＲＩ、およびＣＳＩをジョイントコーディングすることによって、前記ＵＣＩを生成するように構成された、
装置。
［Ｃ６０］
前記少なくとも１つのプロセッサは、前記ＵＣＩ送信がｅＰＵＣＣＨ中で送られるとき、あらかじめ決定されたサイズに前記ＵＣＩをゼロパディングすることによって、前記ＵＣＩを生成するようにさらに構成された、Ｃ５９に記載の装置。
［Ｃ６１］
ワイヤレス通信のためのコンピュータ実行可能コードを記憶するコンピュータ可読媒体であって、
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のＧＡＣＫが、前記ＵＥによって受信された前記データ送信の肯定応答である、
を行うためのコードを備える、コンピュータ可読媒体。
［Ｃ６２］
ワイヤレス通信のためのコンピュータ実行可能コードを記憶するコンピュータ可読媒体であって、
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグがユーザ機器（ＵＥ）タグに対応しないとき、前記基地局に、ＡＣＫ／ＮＡＣＫの前記第１のグループを少なくとも備える第１のＧＡＣＫを送信することと
を行うためのコードを備える、コンピュータ可読媒体。
［Ｃ６３］
ワイヤレス通信のためのコンピュータ実行可能コードを記憶するコンピュータ可読媒体であって、
アップリンク制御情報（ＵＣＩ）を生成することと、前記ＵＣＩが、グループ肯定応答／否定応答（ＧＡＣＫ）、ランクインジケータ（ＲＩ）、およびＣＳＩ送信を含む、
リッスンビフォアトークサブフレーム中でアップリンク制御情報（ＵＣＩ）送信を送ることと
を行うためのコードを備え、
ここにおいて、前記ＵＣＩを生成するための前記コードは、前記ＵＣＩ送信がｅＰＵＳＣＨ中で送られるとき、前記ＧＡＣＫ、ＲＩ、およびＣＳＩを別々にコーディングおよび多重化するように構成され、
ここにおいて、前記ＵＣＩを生成するための前記コードは、前記ＵＣＩ送信がｅＰＵＣＣＨ中で送られるとき、前記ＧＡＣＫ、ＲＩ、およびＣＳＩをジョイントコーディングするように構成された、
コンピュータ可読媒体。
【図１】
0006629336.tif 000002
【図２Ａ】
0006629336.tif 000003
【図２Ｂ】
0006629336.tif 000004
【図２Ｃ】
0006629336.tif 000005
【図２Ｄ】
0006629336.tif 000006
【図３】
0006629336.tif 000007
【図４Ａ】
0006629336.tif 000008
【図４Ｂ】
0006629336.tif 000009
【図５】
0006629336.tif 000010
【図６】
0006629336.tif 000011
【図７Ａ】
0006629336.tif 000012
【図７Ｂ】
0006629336.tif 000013
【図７Ｃ】
0006629336.tif 000014
【図８】
0006629336.tif 000015
【図９】
0006629336.tif 000016
【図１０】
0006629336.tif 000017
【図１１】
0006629336.tif 000018
【図１２】
0006629336.tif 000019
【図１３】
0006629336.tif 000020
【図１４】
0006629336.tif 000021